(57)【要約】      （修正有）【課題】低い外形で体輪郭に適応可能な構造および構成を有する自動注入機デバイスを提供する。【解決手段】下面を有する基部１０２と、患者の様々な体輪郭に合う、前記基部１０２の前記下面に連結された柔軟層１０４と、注入室であって、前記柔軟層１０４は、前記患者の皮膚とともに真空を形成して、前記患者の皮膚を前記注入室へ引き込む、注入室と、前記基部１０２にわたって配置されたカバー１１０と、通気開口であって、前記柔軟層１０４と皮膚との間で発生される真空を開放するために、前記基部１０２に対する前記カバー１１０の移動が、前記通気開口を通じて空気を移動させる、通気開口と、を備える治療薬を送達するための注入機。【選択図】図２
2020018860.tif 000002
【特許請求の範囲】
【請求項１】
下面を有する基部と、
患者の様々な体輪郭に合う、前記基部の前記下面に連結された柔軟層と、
注入室であって、前記柔軟層は、前記患者の皮膚とともに真空を形成して、前記患者の皮膚を前記注入室へ引き込む、注入室と、
前記基部にわたって配置されたカバーと、
通気開口であって、前記柔軟層と皮膚との間で発生される真空を開放するために、前記基部に対する前記カバーの移動が、前記通気開口を通じて空気を移動させる、通気開口と、
を備える治療薬を送達するための注入機。
【請求項２】
前記注入室にわたって配置されたアイソレータをさらに備える、請求項１に記載の注入機。
【請求項３】
前記アイソレータが、前記注入室へと皮膚の一部を引き込むための凹面を有する、請求項２に記載の注入機。
【請求項４】
前記注入機内に配置される容器または注射器であって、治療薬を収容する容器または注射器と、
前記容器または前記注射器に除去可能に取り付けられる針遮蔽体と、
前記柔軟層にわたって配置される、前記針遮蔽体を前記容器または前記注射器から除去するための剥離可能基材と
をさらに備える、請求項１に記載の注入機。
【請求項５】
前記剥離可能基材が、
前記柔軟層からの前記剥離可能基材の除去を容易にするために、プルタブへと折り畳まれ得る構造を有するか、または
前記柔軟層からの前記剥離可能基材の除去を容易にするために、互いに対して折り畳まれ得る相対する部分のある構造を有する、請求項４に記載の注入機。
【請求項６】
前記剥離可能基材が、前記剥離可能基材を前記針遮蔽体へと取り付けるために、前記剥離可能基材の取付面から延びる突起を有する、請求項４に記載の注入機。
【請求項７】
前記カバーが、前記注入機の注入サイクルの間、前記容器または前記注射器を見るための窓を有する、請求項４に記載の注入機。
【請求項８】
前記容器または前記注射器が、前記容器または前記注射器内に収容される前記治療薬を患者へと注入するための針を有し、前記注入機の注入サイクルの間に第１の位置と第２の位置との間で前記容器または前記注射器を移動するための、前記基部に設けられる担持体をさらに備え、前記針が、前記第１の位置において前記注入機内に配置され、前記第２の位置において前記基部から延びる、請求項４に記載の注入機。
【請求項９】
前記容器または前記注射器が、前記治療薬を前記容器または前記注射器から前記針を通じて分注するための押子を有し、前記治療薬を前記容器または前記注射器から前記針を通じて分注するために、前記容器または前記注射器を通じて前記押子を駆動するための押子駆動部をさらに備え、前記押子駆動部が、モータ、バネ、油圧アクチュエータ、または、それらの任意の組み合わせのうちの１つを備える、請求項８に記載の注入機。
【請求項１０】
前記押子駆動部が、前記カバーを前記基部に向かって押すことによって作動される、請求項９に記載の注入機。
【請求項１１】
モータ駆動要素、バネ駆動要素、油圧駆動要素、または、それらの任意の組み合わせのうちの１つを有する、前記第１の位置と前記第２の位置との間で前記担持体を移動するための担持体駆動部をさらに備える、請求項８に記載の注入機。
【請求項１２】
前記担持体駆動部が、前記カバーを前記基部に向かって押すことによって作動される、請求項１１に記載の注入機。
【請求項１３】
前記担持体駆動部が、前記基部に対して鋭角で配置される、請求項１１に記載の注入機。
【請求項１４】
前記針を前記注入室へと曲げるための針案内部をさらに備える、請求項１３に記載の注入機。
【請求項１５】
前記容器または前記注射器に収容される前記治療薬を加熱するために前記担持体に隣接して配置される加熱要素をさらに備える、請求項８に記載の注入機。
【請求項１６】
前記容器または前記注射器が、前記針に結合される少なくとも２つの胴部を備え、各々の前記胴部が治療薬を収容する、請求項８に記載の注入機。
【請求項１７】
少なくとも第２の担持体と、
少なくとも第２の容器または注射器と、
をさらに備え、前記第２の担持体が、前記第２の容器または注射器を前記第１の位置と前記第２の位置との間で移動するためのものである、請求項８に記載の注入機。
【請求項１８】
前記カバーが、前記注入機の注入サイクルを開始するために、前記基部に向かって前記カバーを押すための掌ボタンを有する、請求項１に記載の注入機。
【請求項１９】
前記注入機が低い外形を有する、請求項１に記載の注入機。
【請求項２０】
治療薬を収容する容器または注射器をさらに備える、請求項１に記載の注入機。
【発明の詳細な説明】
【技術分野】
【０００１】
本開示は、自動注入機デバイスに関する。より詳細には、本開示は、低い外形で体輪郭に適応可能な構造および構成を有する自動注入機デバイスに関する。
【背景技術】
【０００２】
現在の自動注入機（AI:AutoInjector）デバイスは、医薬製品または薬物を投与するために注入針が皮膚に刺さっている間に、体に対して保持されている。薬物製品または薬物は、モノクローナル抗体または他のタンパク質を含み得る。ＡＩデバイスを操作するために、使用者はデバイスを把持し、ＡＩデバイスを作動または準備させる下向きの力を皮膚に対して加える。そして、使用者は指または親指でボタンを押して、針を展開させ、例えば、注射器ストッパ／押子構成が注入場所において皮膚へと薬物を下方へ移動するといった、注入サイクルを開始させる。
【０００３】
針挿入およびストッパ／押子移動の間、使用者の皮膚と、皮膚に接触する（および、針を包囲している）ＡＩデバイスの物理的領域との間の境界面／表面の領域は、デバイスおよび／もしくは針の滑り、または、皮膚の表面における移動を回避するために、所定位置に留まらなければならない。これは、完全な薬物投与量の送達を可能にしようとして、皮膚の表面における薬物の漏れを回避しようとして、および／または、注入過程の間の針の曲がりや破損による使用者の怪我を回避しようとして行われる。また、使用者の快適性のため、ＡＩの真下における注入場所の皮膚領域は、注入手順を容易にするために、ピンと張ったままにされることが勧められる。
【０００４】
ほとんどのＡＩデバイスは、人の掌／手／指の形に順応する自然な輪郭の形態を提供しない垂直またはペン状の構造／外形を有する。また、ＡＩペン形デバイスの垂直に細長い構造／外形は、皮膚と接触するデバイスの物理的な表面積が比較的小さく、これが圧縮力の集中と使用者の不快感とをもたらすため、デバイスを注入の間に体に対して安定して保持することを難しくしている。その結果、デバイスおよび／または針の滑りまたは移動がしばしば起こり、これは、皮膚の表面における薬物の漏れ、および、注入過程の間の針の曲がりや破損による使用者の怪我を引き起こす可能性がある。さらに、ＡＩペン形デバイスの使用は、年長者や指の機能に障害がある使用者（例えば、関節炎のある患者）にとってはかなりの難題であり、その結果、治療が妨げられ得る。
【発明の概要】
【発明が解決しようとする課題】
【０００５】
したがって、従来のＡＩペン形デバイスと関連付けられる問題を回避する改良されたＡＩデバイスが、必要とされている。
【課題を解決するための手段】
【０００６】
治療薬を送達するための注入機は、ある実施形態では、患者の様々な体輪郭に合う柔軟な表面を有する基部を有し、その表面はそこで注入室を画定する。
【０００７】
注入機のある実施形態は、基部にわたって配置されるカバーをさらに備え得る。
【０００８】
注入機のある実施形態では、表面は、患者の皮膚との間で真空を形成するための柔軟層を備え得る。
【０００９】
注入機のある実施形態では、柔軟層は皮膚を伸ばすか挟む。
【００１０】
注入機のある実施形態は、注入室にわたって配置され、表面において画定される注入室へと皮膚の一部を引き込むための柔軟なアイソレータをさらに備え得る。
【００１１】
注入機のある実施形態では、アイソレータは、表面において画定される注入室へと皮膚の一部を引き込むための凹面を有し得る。
【００１２】
注入機のある実施形態は、治療薬を収容する注入機内に配置される注射器と、注射器に除去可能に取り付けられる針遮蔽体と、表面にわたって配置される、針遮蔽体を注射器から除去するための剥離可能基材とをさらに備え得る。
【００１３】
注入機のある実施形態では、剥離可能基材は、基部の表面からの剥離可能基材の除去を容易にするために、プルタブへと折り畳まれ得る構造を有し得る。
【００１４】
注入機のある実施形態では、剥離可能基材は、基部の表面からの剥離可能基材の除去を容易にするために、互いに対して折り畳まれ得る相対する部分のある構造を有し得る。
【００１５】
注入機のある実施形態では、剥離可能基材は、剥離可能基材を針遮蔽体へと取り付けるために、剥離可能基材の取付面から延びる突起を有し得る。
【００１６】
注入機のある実施形態では、カバーは、注入機の注入サイクルを開始するために、基部に向かってカバーを押すための掌ボタンを有し得る。
【００１７】
注入機のある実施形態では、カバーは、注入機を把持するための少なくとも１つの指パッドを有し得る。
【００１８】
注入機のある実施形態では、少なくとも１つの指パッドは、特定の患者集団の把持要件を満たすために、カバーに配置され得る。
【００１９】
注入機のある実施形態では、カバーは、手または指での注入機の把持のための材料の層で被覆され得る。
【００２０】
注入機のある実施形態では、カバーは、注入機の注入サイクルの間、注射器を見るための窓を有し得る。
【００２１】
注入機のある実施形態では、カバーは、薬物を見るための窓および鏡の構成を有し得る。
【００２２】
注入機のある実施形態では、注入機は低い外形を有し得る。
【００２３】
注入機のある実施形態では、基部は通気開口を有することができ、基部に対するカバーの移動が、基部の柔軟層と皮膚との間で発生される真空を開放するために、通気開口を通じて空気を動かす。
【００２４】
注入機のある実施形態では、注射器は、注射器内に収容される治療薬を患者へと注入するための針を有し、注入機の注入サイクルの間に第１の位置と第２の位置との間で注射器を移動するための、基部に設けられる担持体をさらに備え、針が、第１の位置において注入機内に配置され、第２の位置において基部から延びる。
【００２５】
注入機のある実施形態では、注射器は、治療薬を注射器から針を通じて分注するための押子を有し、治療薬を注射器から針を通じて分注するために、注射器を通じて押子を駆動するための押子駆動部をさらに備え、押子駆動部が、モータ駆動要素、バネ駆動要素、油圧駆動要素、または、それらの任意の組み合わせのうちの１つを有する。
【００２６】
注入機のある実施形態では、押子駆動部は、カバーにあるボタン特徴部を押すことによって作動され得る。
【００２７】
注入機のある実施形態では、押子駆動部は、カバーを基部に向かって押すことによって作動され得る。
【００２８】
注入機のある実施形態は、モータ駆動要素、バネ駆動要素、油圧駆動要素、または、それらの任意の組み合わせのうちの１つを有する、第１の位置と第２の位置との間で担持体を移動するための担持体駆動部をさらに備え得る。
【００２９】
注入機のある実施形態では、担持体駆動部は、カバーにあるボタン特徴部を押すことによって作動され得る。
【００３０】
注入機のある実施形態では、担持体駆動部は、カバーを基部に向かって押すことによって作動され得る。
【００３１】
注入機のある実施形態では、担持体駆動部は、基部に対して鋭角で配置され得る。
【００３２】
注入機のある実施形態は、針を注入室へと曲げるための針案内部をさらに備え得る。
【００３３】
注入機のある実施形態は、注射器に収容される治療薬を加熱するために担持体に隣接して配置される加熱要素をさらに備え得る。
【００３４】
注入機のある実施形態では、加熱要素は、発熱する加熱要素を備え得る。
【００３５】
ある実施形態では、注入機は、注入機および治療薬が最適な動作状態にあることを伝えるために、指示部をさらに備え得る。
【００３６】
注入機のある実施形態では、注射器は、治療薬を注射器から針を通じて分注するための押子を有することができ、治療薬を注射器から針を通じて分注するために、注射器を通じて押子を駆動するための押子駆動部と、第１の位置と第２の位置との間で担持体を移動するための担持体駆動部とをさらに備えることができ、押子駆動部および担持駆動部の各々が、モータ駆動要素、バネ駆動要素、油圧駆動要素、および／または、それらの任意の組み合わせのうちの１つを有する。
【００３７】
注入機のある実施形態では、押子駆動部および担持体駆動部の少なくとも一方は、カバーを基部に向かって押すことによって、または、カバーにあるボタン特徴部を押すことによって、作動され得る。
【００３８】
注入機のある実施形態では、注射器は、針に結合される少なくとも２つの胴部を備えることができ、各々の胴部は治療薬を収容する。
【００３９】
注入機のある実施形態は、少なくとも第２の担持体をさらに備え得る。
【００４０】
注入機のある実施形態は、少なくとも第２の注射器をさらに備えることができ、第２の担持体は、第２の注射器を第１の位置と第２の位置との間で移動するためのものである。
【００４１】
注入機のある実施形態は、治療薬を収容する容器または注射器をさらに備え得る。
【００４２】
ある実施形態では、治療を必要としている患者に、注入機にある容器から治療薬を投与するステップを含む方法が、提供される。
【図面の簡単な説明】
【００４３】
【図１】ＡＩデバイスの実施形態の斜視図である。
【図２】図１のＡＩデバイスの断面の側面図である。
【図３】図１のＡＩデバイスの上面図である。
【図４】図１のＡＩデバイスの別の断面の側面図である。
【図５】図４で示している注入ユニット組立体の拡大した断面の側面図である。
【図６】４つの注入ユニット組立体を有するＡＩデバイスの実施形態の断面の上面図である。
【図７】ＡＩデバイスの薬物容器の別の実施形態の上面図である。
【発明を実施するための形態】
【００４４】
自動注入機（ＡＩ）デバイスが開示を通じて言及されるが、ある例では、デバイスは注入機としても言及され得ることは、留意されるべきである。
【００４５】
本開示の自動注入機（ＡＩ）デバイスは、その幅より実質的に小さい高さを有するように構築および適合でき、それによって低い外形を画定しており、これは、制御された手法で皮膚を挟むまたは伸ばすことができるより大きくてより安定した基部を提供する。したがって、ＡＩデバイスは、皮膚／デバイスの境界面を容易に維持でき、制御された注入深さと薬物送達とを提供できる。より大きな基部は、複数の注入室（注入が実行される基部内の場所）、ならびに／または、互いと組み合わされる大きな主容器および／もしくは主容器によって、より大きな体積を収容もできる。主容器は、とりわけ、充填済み注射器またはバイアルを備え得る。ＡＩデバイスのある実施形態では、注入室は、能動的な固定システムを容易にし、ＡＩデバイスへの一定の力を維持する必要性を緩和するために配置される。さらに、ある実施形態では、針展開の作動、薬物送達、および針引き抜き（注入サイクル）が、手の掌を用いて達成され、それによって、既存の自動注入機より優れた使用の容易性を可能にし、特には器用さに障害のある使用者にとって、幅広い使用者集団に便宜を図れる。
【００４６】
図１は、ＡＩデバイス１００の実施形態の斜視図である。ＡＩデバイス１００は、基部１０２と、柔軟層１０４と、除去可能基材１０６と、カバー１１０と、掌ボタン１１２と、１つまたは複数の指パッド１１４と、１つまたは複数の薬物容器視認窓１１６とを備え得る。基部１０２は、ポリカーボネート、アクリロニトリルブタジエンスチレン（ａｂｓ）、または、当業者に知られている任意の他の適切な材料など、耐衝撃性のある剛体材料から構築され得る。
【００４７】
図２は、図１のＡＩデバイスの断面の側面図である。図示しているように、基部１０２は、上面および下面を有する平面部材であり得る。基部１０２は、従来の「ペン様式」の自動注入機より実質的に大きい表面積を有し、それによって、より安定した体との境界面を提供できる。様々な実施形態において、基部１０２は、５ｃｍ〜１５ｃｍの直径を有し得る。基部１０２の下面１０２Ｂは、基部１０２の周辺を超えて延び得る柔軟層１０４によって覆われ得る。使用者がＡＩデバイス１００を体に対して押すとき、柔軟層１０４は、ＡＩの基部１０２を使用者の体の様々な輪郭に合わせることができ、一方、制御された手法で、使用者の皮膚を持ち上げる（挟む）か、または、押し下げる（伸ばす）かのいずれかを行い、それによって、基部１０２と使用者の皮膚との間に封止された真空を形成できる。柔軟層１０４は、ポリウレタン、シリコーンポリウレタン共重合体、ヒドロゲル、または、当業者に知られている、屈曲できる任意の他の適切な生体適合性の材料など、生体適合性（非ラテックス）の材料から作られ得る。ある実施形態では、柔軟層１０４は、凹状の皮膚接触面を画定し得る。柔軟層１０４は、患者がＡＩデバイス１００を使用する準備ができたとき、基部１０２の柔軟層１０４から剥離され得る除去可能基材１０６で覆われ得る。
【００４８】
図２を参照し、ＡＩデバイス１００の上面図である図３も参照すると、カバー１１０は、人間工学的な楕円形で、注入機を容易に把持および／または取り扱いさせることができるドーム形の構成を有することができ、それによって、ＡＩデバイス１００を幅広い使用者に操作させることができる。カバー１１０は、ポリカーボネート、ａｂｓ、または、当業者に知られている任意の他の適切な材料など、耐衝撃性のある剛体材料から構築され得る。構成は、ドーム形であることに限定されず、本明細書に記載されている他の基準を満たすという条件で、適切な人間工学的効果を提供する任意の形が用いられ得ることは、理解されるべきである。掌ボタン１１２は、頂部Ａまたはカバー１１０の任意の他の領域に一体化させることができ、ＡＩデバイス１００の注入サイクルを開始するために、カバー１１０を使用者の掌で基部１０２に向かって押し下げる際に使用者を助ける。掌ボタン１１２は、ポリカーボネート、ａｂｓ、または、当業者に知られている任意の他の適切な材料など、耐衝撃性のある剛体材料から構築でき、ある実施形態では、ポリウレタン、シリコーンポリウレタン共重合体、またはヒドロゲルなど、生体適合性（例えば、非ラテックス）の材料で被覆され得る。当然ながら、当業者に知られている他の適切な材料が使用されてもよい。ある実施形態では、掌ボタン１１２は、ＡＩデバイス１００内に配置された他の構成部品と接触できるように、カバー１１０の頂部を全体で通り抜けて延び得る。他の実施形態では、掌ボタン１１２は、カバー１１０の頂部において、カバー１１０の上面１１０Ｔへと一体化されるだけであり得る。さらなる実施形態では、掌ボタン１１２は、頂部から若干ずれた位置において、カバーまたはその上面１１０Ｔに一体化され得る。
【００４９】
図３をなおも参照すると、１つまたは複数の指パッド１１４が、特定の位置においてカバーの上面１１０Ｔに一体化され得る。１つまたは複数の指パッド１１４は、使用者にＡＩデバイス１００を容易に把持および／または取り扱いさせることができ、ポリウレタン、シリコーンポリウレタン共重合体、またはヒドロゲルなど、生体適合性（非ラテックス）の材料から構築され得る。ある実施形態では、１つまたは複数の指パッド１１４は、ざらつきのある表面を有し得る。指パッド１１４の数と、カバー１１０における指パッド１１４の位置とは、所望の使用者集団の把持要件を満たすように選択され得る。例えば、ある実施形態では、指パッド１１４の数と位置とは、制限された右手の器用さを有する使用者集団の把持要件を満たすために選択され得る。他の実施形態では、指パッド１１４の数と位置とは、制限された左手の器用さを有する使用者集団の把持要件を満たすために選択され得る。さらなる実施形態では、指パッド１１４の数と位置とは、制限された左手および右手の器用さを有する使用者集団の把持要件を満たすために選択され得る。
【００５０】
ＡＩデバイスの代替の実施形態では、掌と１つまたは複数の指との把持パッドが、カバー１１０の上面全体を覆うと共にＡＩデバイス１００の掌または指の把持を容易にする材料の層（図示せず）で、置き換えられ得る。
【００５１】
図１を再び参照すると、１つまたは複数の薬物容器視認窓１１６がカバー１１０に形成され得る。視認窓の各々は、ＡＩデバイス１００内に配置された、対応する注射器、もしくは、注射器の内部に収容されている薬物、または、注射器内の薬物の高さを、使用者に視認させることができる。様々な他の実施形態では、カバーは、薬物を見るための窓および鏡の構成を有し得る。
【００５２】
図２を再び参照すると、ＡＩデバイス１００は、デバイス１００の内部１２６内に配置された、１つまたは複数の注入場所アイソレータ１２４と、空気抜き構成１０８と、掌ボタン支持柱１２２と、１つまたは複数の引込式カバー戻し柱１１８と、対応する戻しバネ１２０とをさらに備え得る。アイソレータ１２４は、ポリカーボネートまたはａｂｓプラスチックなどの剛体材料から作られ、さらに、より優れた静止摩擦または把持を可能にするために、ポリウレタン、シリコーンポリウレタン共重合体、ヒドロゲル、または、当業者に知られている任意の他の適切な生体適合性の材料など、生体適合性（非ラテックス）の材料で被覆され得る。注入場所アイソレータ１２４は、基部１０２および柔軟層１０４に同軸で整列された開口（見ることができない）を通じて延び得る。注入場所アイソレータ１２４のある実施形態は、柔軟層１０４の作用面１０４Ｗ（使用者の皮膚に適用される表面）と概して面一になっている下縁１２４Ｅのあるドーム状の構造を有し得る。アイソレータ１２４のドーム状の構造は空間を画定しており、その空間は注入室１２８を形成している（図５）。使用者がＡＩデバイス１００を使用者の体に対して押すとき、アイソレータ１２４は、アイソレータ１２４の真下に位置される皮膚を、アイソレータ１２４内に確定された注入室１２８へと引っ張り上げる。
【００５３】
図２をなおも参照すると、注入機１００を皮膚に適用すると、空気抜き構成１０８は、空気を排出するために最初に開いている。ひとまとまりの空気が排出されると、カバー１１０と基部１０２とが互いに対して浮くまたは移動するため、空気抜き構成１０８は閉じる。注入の後、カバー１１０の基部１０２に対する跳ね返りが、空気抜き構成１０８を再び開けて、空気が突入して真空を開放する。（吸込み（真空）と吸込み解除のための通気とを作動する）空気抜き構成１０８の吸込み／吸込み解除の機能は、ある実施形態では、カバー１１０が、矢印１２９によって支持されているように、基部１０２に対して適切な方向に動くとき、作動され得る。ある実施形態では、空気抜き構成１０８は、基部１０２を貫いて延びる通気開口（見ることができない）と、カバー１１０が基部１０２に対して動くときに通気開口を遮断／閉止および遮断解除／開放するための閉止体（見ることができない）とを備え得る。通気開口が開いているとき、ＡＩデバイス１００の掌ボタン支持柱１２２内に配置され得る空気、または、皮膚と柔軟層１０４との間で捉えられる空気は、ＡＩデバイス１００が吸込みモードにあるか吸込み解除モードにあるかに依存して、柔軟層１０４を通過できる。引込式カバー戻し柱１１８は、コイル式のバネ要素であり得る戻しバネ１２０へと作動可能に連結される２つ以上の伸縮要素を、従来から備え得る。掌ボタン１１２が押されるとき、掌ボタン１１２はカバー１１０を基部１０２に向かって下へと移動し、それによって、伸ばされているカバー戻し柱１１８を引き込ませ、戻しバネ１２０を圧縮する。掌ボタン１１２が解放されるとき、引き込まれたカバー戻し柱１１８は伸び、カバー戻し柱１１８を引き込まれていない位置へと戻すように拡げて伸ばす圧縮された戻しバネ１２０によって、カバーと掌ボタン１１２とを押し下げられていない位置へと戻すように動かす。
【００５４】
図４は、ＡＩデバイス１００の別の断面の側面図である。図４に示しているように、ＡＩデバイス１００は、デバイス１００の内部１２６と連通している掌ボタン１１２の一部１１２Ｐに作動可能に連結された１つまたは複数の注入ユニット（ＩＵ）組立体１３０をさらに備え得る。複数のＩＵ組立体１３０は、ＡＩデバイス１００の基部１０２が従来の「ペン様式」の自動注入機より実質的に大きい搭載面を有するため、可能である。１つまたは複数のＩＵ組立体１３０は、ＡＩデバイス１００の外形を低くするために、および、デバイス１００の使用の安定性および容易性を高めるために、ＩＵ組立体１３０の長手方向軸が、従来の「ペン様式」の自動注入機のように基部１０２に対して垂直ではなく、基部１０２に対して鋭角であり得るように、ＡＩデバイス１００内で位置付けられる。各々のＩＵ組立体１３０は、対応する注入場所アイソレータ１２４によって設けられた注入室１２８と作動可能に関連付けられる。ＩＵ組立体１３０と掌ボタン１１２とは、ＩＵ組立体１３０の同期および／または非同期の作動を提供するように構築および適合できる。複数のＩＵ組立体１３０のあるＡＩデバイス１００の実施形態は、より大きい組み合わされた流体の送達、および／または、異なる流体の送達を可能にし、薬物の体積を収容および調節するために、および、注入場所の反応を回避するために、変化できる注入室１２８、位置、および構成を提供する単一および／または複数の注入室１２８の選択肢（例えば、２つ、３つ、または４つの注入室１２８）を、提供する。複数の注入室１２８の使用は、注入場所での針挿入の構成を通じて、ＡＩデバイス１００の能動的な固定を提供できる。
【００５５】
図５は、図４で示しているＩＵ組立体１３０の拡大した断面の側面図である。ＩＵ組立体１３０の各々は、加熱要素１３２と、注射器担持体１３４と、注射器１３６と、担持体駆動部１３８と、押子駆動部１４０と、針案内部１４２とを選択的に備え得る。ＩＵ組立体１３０の各々は、基部１０２の上面１０２Ｔに形成または取り付けられた支持構造１５０によって、基部１０２に固定され得る。
【００５６】
図５をなおも参照すると、注射器担持体１３４は、針挿入、薬物押出、および針引き戻しを容易にするために、注射器１３６を受け入れてしっかりと保持するように構築および適合され得る。ＡＩデバイス１００が再使用可能であるある実施形態では、注射器担持体１３４は、ＡＩデバイス１００の注入サイクルの後に注射器１３６を取り外しでき、新しい注射器で置き換えできるように、構築および適合され得る。注射器担持体１３４は、ＡＩ１００の注入サイクルの間、支持構造１５０（および基部１０２）に対して直線状の形で、針格納位置（図５に示している）から針挿入位置（図示していない）へと移動でき、それから針格納位置へと戻るように移動できるように、支持構造１５０の表面もしくは内部に、または、支持構造１５０に搭載され得る。示した実施形態では、担持体１３４は、駆動当接タブ１３４Ｔを備えている。担持体駆動部１３８は、担持体１３４を針格納位置から針挿入位置へと移動するために、および、担持体１３４を針格納位置へと戻すように移動するために、駆動当接タブ１３４Ｔを使用する。
【００５７】
図５をなおも参照すると、注射器１３６は、概して管状の容器もしくは胴部１３６Ｂと、皮下注射針１３６Ｎ、または、使用者の皮膚に突き刺さることができ、医薬製品もしくは薬物を使用者へと分注できる、別の導管によって胴部１３６Ｂの前方端１３６ＢＦへと除去可能または永久的に固定または連結される任意の他の要素と、胴部１３６Ｂ内に滑動可能に配置されたストッパ１３６Ｓと、ストッパ１３６Ｓに作動可能に係合または連結された前方端（見ることができない）、および、胴部１３６Ｂの開いた後方端１３６ＢＲにおいて胴部１３６Ｂから延び出している後方端１３６ＰＲを有する押子棒１３６Ｐとを、従来から備え得る。除去可能な概して管状の針遮蔽体１３６ＮＳが、針１３６Ｎを覆って配置され得る。注射器１３６は、単回投与の医薬製品もしくは薬物で治療のために充填され得るか、または、あらかじめ充填され得る。カートリッジ、アンプルなど、任意の他の適切な主容器および穿孔要素構成が、使用者の皮膚を突き刺して医薬製品または薬物を使用者へと分注するために、ＡＩデバイス１００の他の実施形態において注射器１３６の代わりに使用され得る。
【００５８】
図５をなおも参照すると、加熱要素１３２は、デバイスに備えられている場合、主容器１３６の少なくとも一部と接触でき、注入の前に容器１３６内に収容されている薬物を加熱するために設けられる。ある実施形態では、加熱要素１３２は、酢酸ナトリウムに基づいて発熱する加熱要素を備え得る。このような加熱要素は、酢酸ナトリウム溶液を活性化するための誘発部材を柔軟なバッグに有する誘発活性化酢酸ナトリウムバッグを備え得る。ある実施形態では、加熱要素１３２は、掌ボタン１１２の最初の下方への移動が加熱要素１３２を活性化するように、掌ボタン１１２を押すことによって活性化されるように構築され得る。
【００５９】
ＡＩデバイス１００のある実施形態では、ＩＵ組立体１３０のうちの１つだけが、投与量の医薬製品を有する注射器１３６を担持し得る。投与量の医薬製品を有する注射器１３６を担持するＩＵ組立体１３０の数は、使用者の治療に依存する。様々な実施形態において、ＩＵ組立体の数は１つから４つまでとできるが、５つ以上のＩＵ組立体のある実施形態が、使用者の治療に依存して検討される。また、ＩＵ組立体１３０に収容されている医薬製品の種類および／または投与量の体積は、所望の治療に依存して、あるＩＵ組立体１３０から別のＩＵ組立体１３０とで、実質的に同じであり得るか、または、異なり得る。
【００６０】
図６は、４つのＩＵ組立体１３０を有するＡＩデバイス１００の断面の上面図である。図６に示しているように、ＩＵ組立体１３０は、それらの長手軸線が互いと直角となるように配置され得る。
【００６１】
図７に示しているように、ＡＩデバイスの他の実施形態は、注射器の代わりに２つ以上の容器２３６Ｃ１、２３６Ｃ２を各々備えるＩＵ組立体を有し得る。容器２３６Ｃ１、２３６Ｃ２は、互いに対して同じ広がりを持ち得る。容器２３６の各々の前方端２３６Ｆは、ブリッジ導管２３６ＣＤを介して、共通の皮下注射針２３６Ｎへと連結され得る。各々の容器２３６Ｃ１、２３６Ｃ２は、ストッパ２３６Ｓ１、２３６Ｓ２と押子棒２３６Ｐ１、２３６Ｐ２とを備え得る。除去可能な概して管状の針遮蔽体２３６ＮＳが、針２３６Ｎまたは他の穿孔要素を覆って配置され得る。容器２３６Ｃ１、２３６Ｃ２は、各々、単回投与の医薬製品もしくは薬物で治療のために充填され得るか、または、あらかじめ充填され得る。代替で、容器２３６Ｃ１および２３６Ｃ２は、各々、異なる薬物で治療のために充填され得るか、または、あらかじめ充填され得る。また、容器２３６Ｃ１、２３６Ｃ２に収容されている医薬製品の種類および／または投与量の体積は、所望の治療に依存して、ある容器から別の容器とで、実質的に同じであり得るか、または、異なり得る。
【００６２】
図５を再び参照すると、担持体駆動部１３８は、ＡＩデバイス注入サイクルの針挿入プロセスの間、注射器１３６を収容している担持体１３４を、針１３６Ｎが隠されている針格納位置から針挿入位置へと移動するために、注射器担持体１３４の駆動タブ１３４Ｔを使用でき、それによって、針１３６ＮをＡＩデバイス１００から注入室１２８へと延ばし、注入室１２８へと引き込まれた使用者の皮膚に突き刺せる。担持体駆動部１３８は、注射器１３６を収容している担持体１３４を、針挿入位置から針格納位置へと戻すように移動するために、注射器担持体１３４の駆動タブ１３４Ｔを使用することもでき、それによって、使用者の皮膚から引き込まれた注入室１２８へと針１３６Ｎを引き抜き、針１３６ＮをＡＩデバイス１００内に隠せる。図５に示しているように、担持体駆動部１３８の一部の実施形態は、中空のバネ保持レール１３８Ｒと、挿入バネ１３８ＩＳと、格納バネ１３８ＲＳと、担持体トリガレール１３８ＴＲと、担持体トリガレール接続部１３８ＲＣと、挿入バネ保持体１３８ＳＨと、格納バネ保持体１３８ＲＨと、旋回担持体トリガ１３８Ｔとを備え得る。
【００６３】
図５をなおも参照すると、バネ保持レール１３８Ｒは、注射器担持体１３４の外面に沿って注射器担持体１３４と概して平行に延び得る。バネ保持レール１３８Ｒの後方端は、担持体トリガレール接続部１３８ＲＣの反体の端に連結され得る。担持体トリガレール接続部１３８ＲＣは、さらに、担持体トリガ１３８Ｔに連結され得る。担持体トリガ１３８Ｔは、カバー１１０を通ってＡＩデバイス１００の内部１２６へと延びる掌ボタン１１２の一部１１２Ｐへと、担持体駆動部１３８を作動可能に連結し得る（図４）。挿入バネ１３８ＩＳおよび格納バネ１３８ＲＳは、対応する駆動タブ１３４Ｔの後当接面１３４ＴＲの後方に各々の挿入バネ１３８ＩＳが配置された状態で、中空のバネ保持レール１３８Ｒ内に収容でき、各々の格納バネ１３８ＲＳは、対応する駆動タブ１３４Ｔの前当接面１３４ＴＦと係合され得る。挿入バネ保持体１３８ＳＨは、ＡＩ注入の注入サイクルの開始の前、挿入バネ１３８ＩＳと係合して挿入バネ１３８ＩＳを圧縮するために、担持体トリガレール１３８ＴＲに選択的に位置付けでき、それによって、注射器担持体１３４を針格納位置に保持する。掌ボタン１１２およびカバー１１０が、ＡＩデバイス１００の注入サイクルを作動するために基部１０２に向かって押し下げられるとき、担持体トリガ１３８Ｔは旋回し、担持体トリガレール１３８ＴＲに挿入バネ保持体１３８ＳＨの圧縮された挿入バネ１３８ＩＳからの係合解除をさせ得る。係合解除されると、挿入バネ１３８ＩＳは拡がって注射器担持体駆動タブ１３４Ｔの後当接面１３４ＴＲと係合でき、注射器担持体１３４を針格納位置から針挿入位置へと移動できる。注射器担持体１３４が針挿入位置へと移動するとき、大まかには圧縮されていない格納バネ１３８ＲＳは、担持体駆動タブ１３４Ｔの前当接面１３４ＴＦと（針格納位置において）係合でき、拡がっている挿入バネ１３８ＩＳによってタブ１３４の後当接面１３４ＴＲに発揮されるバネ力によって圧縮し得る。挿入バネ１３８ＩＳは、格納バネ１３８ＲＳを圧縮して注射器担持体１３４を針挿入位置へと移動できるように、格納バネ１３８ＲＳより大きいバネ定数を有し得る。
【００６４】
格納バネ保持体１３８ＲＨは、掌ボタン１１２およびカバー１１０が基部１０２に向かってさらに下へと押され、注射器担持体１３４が針挿入位置に到達するとき、旋回担持体トリガ１３８Ｔが担持体トリガレール１３８ＴＲに格納バネ保持体１３８ＲＨを圧縮された格納バネ１３８ＲＳと係合させて、押子駆動部１４０が薬物押出を完了するまで格納バネ１３８ＲＳを圧縮した状態に保持するように、担持体トリガレール１３８ＴＲに選択的に位置付けられ得る。薬物押出が完了され、掌ボタン１１２およびカバー１１０が基部１０２に向かって完全に下へと押されると、旋回担持体トリガ１３８Ｔは、担持体トリガレール１３８ＴＲに格納バネ保持体１３８ＲＨを圧縮された格納バネ１３８ＲＳから係合解除させ得る。係合解除されると、格納バネ１３８ＲＳは拡がって注射器担持体駆動タブ１３４Ｔの前当接面１３４ＴＦと係合でき、注射器担持体１３４を針挿入位置から針格納位置へと戻すように移動できる。
【００６５】
図５をなおも参照すると、押子駆動部１４０は、押子棒１３６Ｐと、押子棒１３６Ｐの前方端に作動可能に連結されているストッパ１３６Ｓとを、注射器胴部１３６Ｂを通って下へと押して、ＡＩ注入サイクルの薬物押出過程の間に、胴部１３６Ｂ内に収容されている薬物を、針１３６Ｎを通じて使用者へと押し出すことができる。図示しているように、押子駆動部１４０のある実施形態は、旋回押子トリガ１４０Ｔと、押子保持体１４０Ｈと、押子駆動バネ１４０Ｓとを備え得る。押子保持体１４０Ｈは、押子トリガ１４０Ｔに作動可能に連結された一端と、押子棒１３６Ｐと係合された他端とを有している。押子駆動バネ１４０Ｓは、初期の針格納位置において圧縮状態に保持されるように、押子棒１３６Ｐに作動可能に連結され得る。掌ボタン１１２／カバー１１０が、ＡＩデバイス１００の注入サイクルを作動するために基部１０２に向かって下へと押されるとき、押子トリガ１４０Ｔは（担持体トリガ１３８Ｔと共に）旋回し始める。注射器担持体１３４が、針１３６Ｎを使用者の皮膚に突き刺す針挿入位置に到達するとき、旋回押子トリガ１４０Ｔは押子保持体１４０Ｈに押子棒１３６Ｐを解除させる。解除されると、圧縮された押子駆動バネ１４０Ｓは拡がって、押子棒１３６Ｐおよびストッパ１３６Ｓを、注射器胴部１３６Ｂを通じて下へと押し、それによって、胴部１３６Ｂ内に収容されている薬物を、針１３６Ｎを通じて使用者へと押し出す。
【００６６】
図４を再び参照すると、一実施形態において、基部１０２の柔軟層１０４を覆う基材１０６は、基材１０６の上面１０６Ｔから注入室１２８へと上に延びて針遮蔽体１３６ＮＳ（図５）を把持する棘状などの把持要素または突起１０６Ｇを提供することで、針遮蔽体除去部として構築され得る。使用者がＡＩデバイス１００を使用する準備ができると、使用者は、針１３６Ｎを覆うすべての針遮蔽体１３６ＮＳを必然的に同時除去するために、除去可能基材１０６を柔軟層１０４から剥がすだけである。除去可能基材１０６の除去を容易にするために、プルタブ構造体１０６ＰＴが基材１０６の下面１０６Ｂに取り付けられ得る。プルタブ構造体１０６ＰＴは、プルタブ構造体１０６ＰＴの中心１０６Ｃから離れるにつれて徐々に増加する厚さを各々有した相対する部分１０６ＯＰを備え得る。プルタブ構造体１０６ＰＴには、基部１０２の柔軟層１０４から剥離可能な基材１０６を除去するために、指で簡単に把持されて引っ張られるプルタブ（見ることはできない）を形成するために、プルタブ構造体１０６ＰＴの２つの厚い外側の相対する部分１０６ＯＰを一体に折り畳ませることができる、プルタブ構造体１０６ＰＴの中心１０６Ｃに隣接して配置された２つの平行な弱い線状部１０６Ｌが設けられてもよい。
【００６７】
ＡＩデバイスの他の実施形態は、様々な他の種類の担持体機構および／または押子駆動部機構を有し得る。これらの機構の一部は、限定されることなく、電気、ガス圧、ガス放出、または、それらの任意の組み合わせを含む任意の公知の形態で、蓄積されているエネルギーを利用できる。蓄積されているエネルギーは、例えば、電気モータまたはソレノイド、油圧、空気圧、歯車、ロッドなど、対応する従来の伝達機構によって伝達できる。駆動制御および作動ユニットは、駆動機構を作動および順序付けるために設けられてもよく、任意の良く知られている方式の取り外し可能な固定構成、電子制御装置、それらの組み合わせなどを備え得る。
【００６８】
ＡＩデバイスの注射器または他の主容器は、液体または凍結乾燥された形態であり得る赤血球生成促進剤（ＥＳＡ）などの医薬製品で、治療のために充填され得るか、または、あらかじめ充填され得る。ＥＳＡは、赤血球生成促進タンパク質であり得る。本明細書で用いられるとき、「血球生成促進タンパク質」は、例えば、受容体と結合して受容体の二量化を引き起こすことによって、エリスロポエチン受容体の活性化を直接的または間接的に引き起こす任意のタンパク質を意味する。赤血球生成促進タンパク質は、エリスロポエチンと、エリスロポエチン受容体と結合して受容体を活性化するエリスロポエチンの変異体、類似体、もしくは誘導体、エリスロポエチン受容体と結合して受容体を活性化する抗体、または、エリスロポエチン受容体と結合して受容体を活性化するペプチドとを含む。赤血球生成促進タンパク質には、限定されないが、エポエチンアルファ、エポエチンベータ、エポエチンデルタ、エポエチンオメガ、エポエチンイオタ、エポエチンゼータ、およびそれらの類似体、ペグエリスロポエチン、カルバミルエリスロポエチン、模倣ペプチド（ＥＭＰｌ／ヘマタイドを含む）、ならびに、模倣抗体がある。例示の赤血球生成促進タンパク質には、エリスロポエチン、ダーベポエチン、エリスロポエチン作動薬変異体、および、エリスロポエチン受容体と結合して活性化するペプチドまたは抗体がある。
【００６９】
赤血球生成促進タンパク質には、限定なく、Ｅｐｏｇｅｎ（登録商標）（エポエチンアルファ）、Ａｒａｎｅｓｐ（登録商標）（ダーベポエチンアルファ）、Ｄｙｎｅｐｏ（登録商標）（エポエチンデルタ）、Ｍｉｒｃｅｒａ（登録商標）（メトキシポリエチレングリコール−エポエチンベータ）、Ｈｅｍａｔｉｄｅ（商標）（ｐｅｇｉｎｅｓａｔｉｄｅ）、ＭＲＫ−２５７８、ＩＮＳ−２２、Ｒｅｔａｃｒｉｔ（登録商標）（エポエチンゼータ）、Ｎｅｏｒｅｃｏｒｍｏｎ（登録商標）（エポエチンベータ）、Ｓｉｌａｐｏ（商標）（エポエチンゼータ）、Ｂｉｎｏｃｒｉｔ（登録商標）（エポエチンアルファ）、エポエチンアルファＨｅｘａｌ、Ａｂｓｅａｍｅｄ（商標）（エポエチンアルファ）、Ｒａｔｉｏｅｐｏ（商標）（エポエチンシータ）、Ｅｐｏｒａｔｉｏ（商標）（エポエチンシータ）、Ｂｉｏｐｏｉｎ（商標）（エポエチンシータ）、エポエチンアルファ、エポエチンベータ、エポエチンゼータ、エポエチンシータ、およびエポエチンデルタがある。
【００７０】
赤血球生成促進タンパク質という用語は、米国特許第４，７０３，００８号、第５，４４１，８６８号、第５，５４７，９３３号、第５，６１８，６９８号、第５，６２１，０８０号、第５，７５６，３４９号、第５，７６７，０７８号、第５，７７３，５６９号、第５，８３０，８５１号、第５，８５６，２９８号、第５，９５５，４２２号、第５，９８６，０４７号、第６，０３０，０８６号、第６，３１０，０７８号、第６，３９１，６３３号、第６，５８３，２７２号、第６，５８６，３９８号、第６，９００，２９２号、第６，７５０，３６９号、第７，０３０，２２６号、第７，０８４，２４５号、第、および７，２７１，６８９号、米国特許出願公開第２００２／０１５５９９８号、第２００３／００７７７５３号、第２００３／００８２７４９号、第２００３／０１４３２０２号、第２００３／０２１５４４４号、第２００４／０００９９０２号、第２００４／００７１６９４号、第２００４／００９１９６１号、第２００４／０１４３８５７号、第２００４／０１５７２９３号、第２００４／０１７５３７９号、第２００４／０１７５８２４号、第２００４／０２２９３１８号、第２００４／０２４８８１５号、第２００４／０２６６６９０号、第２００５／００１９９１４号、第２００５／００２６８３４号、第２００５／００９６４６１号、第２００５／０１０７２９７号、第２００５／０１０７５９１号、第２００５／０１２４０４５号、第２００５／０１２４５６４号、第２００５／０１３７３２９号、第２００５／０１４２６４２号、第２００５／０１４３２９２号、第２００５／０１５３８７９号、第２００５／０１５８８２２号、第２００５／０１５８８３２号、第２００５／０１７０４５７号、第２００５／０１８１３５９号、第２００５／０１８１４８２号、第２００５／０１９２２１１号、第２００５／０２０２５３８号、第２００５／０２２７２８９号、第２００５／０２４４４０９号、第２００６／００４０８５８号、第２００６／００８８９０６号、および第２００６／０１１１２７９号、ＰＣＴ公開ＷＯ  ９１／０５８６７、ＷＯ  ９５／０５４６５、ＷＯ  ９６／４０７７２、ＷＯ  ９９／６６０５４、ＷＯ  ００／２４８９３、ＷＯ  ０１／８１４０５、ＷＯ  ００／６１６３７、ＷＯ  ０１／３６４８９、ＷＯ  ０２／０１４３５６、ＷＯ  ０２／１９９６３、ＷＯ  ０２／２００３４、ＷＯ  ０２／４９６７３、ＷＯ  ０２／０８５９４０、ＷＯ  ０３／０２９２９１、ＷＯ  ２００３／０５５５２６、ＷＯ  ２００３／０８４４７７、ＷＯ  ２００３／０９４８５８、ＷＯ  ２００４／００２４１７、ＷＯ  ２００４／００２４２４、ＷＯ  ２００４／００９６２７、ＷＯ  ２００４／０２４７６１、ＷＯ  ２００４／０３３６５１、ＷＯ  ２００４／０３５６０３、ＷＯ  ２００４／０４３３８２、ＷＯ  ２００４／１０１６００、ＷＯ  ２００４／１０１６０６、ＷＯ  ２００４／１０１６１１、ＷＯ  ２００４／１０６３７３、ＷＯ  ２００４／０１８６６７、ＷＯ  ２００５／００１０２５、ＷＯ  ２００５／００１１３６、ＷＯ  ２００５／０２１５７９、ＷＯ  ２００５／０２５６０６、ＷＯ  ２００５／０３２４６０、ＷＯ  ２００５／０５１３２７、ＷＯ  ２００５／０６３８０８、ＷＯ  ２００５／０６３８０９、ＷＯ  ２００５／０７０４５１、ＷＯ  ２００５／０８１６８７、ＷＯ  ２００５／０８４７１１、ＷＯ  ２００５／１０３０７６、ＷＯ  ２００５／１００４０３、ＷＯ  ２００５／０９２３６９、ＷＯ  ２００６／５０９５９、ＷＯ  ２００６／０２６４６、ＷＯ  ２００６／２９０９４、およびＷＯ  ２００７／１３６７５２の特許または特許出願に開示されているような分子、または変異体、または類似体をさらに含み、これらは各々、本明細書において、参照によりその全体において組み込まれている。
【００７１】
代替として、ＡＩデバイスの注射器または他の主容器は、他の製品で、治療のために充填されてもよく、または、あらかじめ充填されてもよい。使用され得る他の医薬薬品の例には、限定されないが、生物学的製剤などの治療用物質（例えば、Ｅｎｂｒｅｌ（登録商標）（エタネルセプト、ＴＮＦ−受容体／Ｆｃ融合タンパク質、ＴＮＦ遮断薬）、アダリムマブ、インフリキシマブ、セルトリズマブペゴル、およびゴリムマブなどの抗ＴＮＦ抗体；ウステキヌマブ、アバタセプトとしても知られているＣＴＬ４Ａ：Ｆｃなどの他のＦｃ融合などの抗ＩＬ−１２抗体；Ｎｅｕｌａｓｔａ（登録商標）（ペグフィルグラスチム、ペグＧ−ＣＳＦ、ペグｈｕ−ｍｅｔ−Ｇ−ＣＳＦ）、Ｎｅｕｐｏｇｅｎ（登録商標）（フィルグラスチム、Ｇ−ＣＳＦ、ｈｕ−ｍｅｔ−Ｇ−ＣＳＦ）、Ｎｐｌａｔｅ（登録商標）（ロミプロスチム）、Ｖｅｃｔｉｂｉｘ（登録商標）（パニツムマブ）、Ｓｅｎｓｉｐａｒ（登録商標）（シナカルセト）、Ｘｇｅｖａ（登録商標）、およびＰｒｏｌｉａ（登録商標）（各デノスマブ、ＡＭＧ  １６２）；ならびに、他の小分子薬物、治療抗体、ポリペプチド、タンパク質、または、鉄（例えば、フェルモキシトール、デキストラン鉄、グルコン酸鉄、および鉄スクロース）などの他の化学品があり得る。治療は、液体の形態であり得るか、または、凍結乾燥された形態から再構成され得る。
【００７２】
ＡＩデバイスの注射器または他の主容器において用いられ得る特に例示的なタンパク質の中には、抗体と、ペプチボディと、ペグタンパク質と、ポリペプチドと、例えば、ＯＰＧＬ；ＩＬ−４受容体；インターロイキン１−受容体１（「ＩＬ１−Ｒ１」）；アンジオポエチン−２（Ａｎｇ２）；ＮＧＦ；ＣＤ２２；ＩＧＦ−１；Ｂ−７関連タンパク質１（Ｂ７ＲＰ１）；ＩＬ−１５；ＩＬ−１７受容体Ａ：ＩＦＮガンマ；ＴＡＬＬ−１；上皮小体ホルモン（「ＰＴＨ」）；トロンボポエチン受容体（「ＴＰＯ−Ｒ」）；肝細胞増殖因子（「ＨＧＦ」）；ＴＲＡＩＬ−Ｒ２；アクチビンＡ；ＴＧＦ−ベータ；アミロイド−ベータ；ｃ−Ｋｉｔ；α４β７：およびＩＬ−２３、または、そのサブユニットのうちの１つ；ならびに他の治療タンパク質に特異的に結合するタンパク質といった、関連するタンパク質（その融合、断片、類似体、変異体、または誘導体を含む）とがある。
【００７３】
ＡＩデバイスの注射器または他の主容器は、限定されず、本明細書において、ＯＰＧＬ特異抗体および抗体に関連するタンパク質に関して、その全体において組み込まれているＰＣＴ公報ＷＯ  ０３／００２７１３に記載されている抗体であって、具体的には、その公報に説明されている配列を有するもの、具体的には、限定されず、その公報において図２に説明されているＳＥＱ  ＩＤ  ＮＯ：２の軽鎖、および／または、その公報において図４に説明されているＳＥＱ  ＩＤ  ＮＯ：４の重鎖のいずれかを有するＯＰＧＬ特異抗体を含む、９Ｈ７、１８Ｂ２、２Ｄ８、２Ｅ１１、１６Ｅ１、および２２Ｂ３で表される抗体を含む、特には、完全にヒト化されたモノクローナル抗体である、完全にヒト化されたまたはヒトのＯＰＧＬ特異抗体を含む、ＯＰＧＬ特異抗体、ペプチボディ、および関連するタンパク質など（ＲＡＮＫＬ特異抗体、ペプチボディなどとも称される）で、治療のために充填されてもよく、または、あらかじめ充填されてもよい。先の軽鎖および重鎖の各々は、前述の公報で開示されているとして、参照により、本明細書においてその全体において完全に、個別的かつ具体的に組み込まれている。
【００７４】
ＡＩデバイスの注射器または他の主容器は、具体的には、米国特許出願公開第２００４／０１８１０３３号およびＰＣＴ公報ＷＯ  ２００４／０５８９８８に記載されているものといった、ミオスタチン特異ペプチボディを含む、タンパク質、ペプチボディ、および関連するタンパク質を結合するミオスタチンで、治療のために充填されてもよく、または、あらかじめ充填されてもよい。米国特許出願公開第２００４／０１８１０３３号およびＰＣＴ公報ＷＯ  ２００４／０５８９８８は、参照により、本明細書においてそれらの全体において、具体的には、限定されず、ＴＮ８−１９−１からＴＮ８−１９−４０、ＴＮ８−１９  ｃｏｎ１、およびＴＮ８−１９  ｃｏｎ２を含んだＳＥＱ  ＩＤ  ＮＯＳ：３０５−３５１のものを含むｍＴＮ８−１９ファミリーのペプチボディ；ＳＥＱ  ＩＤ  ＮＯＳ：３５７−３８３のｍＬ２ファミリー、ＳＥＱ  ＩＤ  ＮＯＳ：３８４−４０９のｍＬ１５ファミリー、ＳＥＱ  ＩＤ  ＮＯＳ：４１０−４３８のｍＬ１７ファミリー、ＳＥＱ  ＩＤ  ＮＯＳ：４３９−４４６のｍＬ２０ファミリー、ＳＥＱ  ＩＤ  ＮＯＳ：４４７−４５２のｍＬ２１ファミリー、ＳＥＱ  ＩＤ  ＮＯＳ：４５３−４５４のｍＬ２４ファミリー、ＳＥＱ  ＩＤ  ＮＯＳ：６１５−６３１のペプチボディを含む、ミオスタチン特異ペプチボディに関する部分において、組み込まれている。それらの各々は、前述の公報で開示されているとして、参照により、本明細書においてその全体において完全に、個別的かつ具体的に組み込まれている。
【００７５】
ＡＩデバイスの注射器または他の主容器は、ＰＣＴ公報ＷＯ  ２００５／０４７３３１またはＰＣＴ出願ＰＣＴ／ＵＳ２００４／０３７４２、および、米国特許出願公開第２００５／１１２６９４号に記載されているものを含む、特には、ＩＬ−４および／またはＩＬ−３を受容体に結合することで媒介される、活動を抑制するものといった、ＩＬ−４受容体特異ペプチボディ、ペプチボディ、および関連するタンパク質などで、治療のために充填されてもよく、または、あらかじめ充填されてもよい。ＰＣＴ公報ＷＯ  ２００５／０４７３３１またはＰＣＴ出願ＰＣＴ／ＵＳ２００４／０３７４２、および、米国特許出願公開第２００５／１１２６９４号は、本明細書において、参照により、それらの全体において、具体的には、ＩＬ−４受容体特異抗体であって、それらに記載されているような抗体であって、具体的には、限定なく、Ｌ１Ｈ１、Ｌ１Ｈ２、Ｌ１Ｈ３、Ｌ１Ｈ４、Ｌ１Ｈ５、Ｌ１Ｈ６、Ｌ１Ｈ７、Ｌ１Ｈ８、Ｌ１Ｈ９、Ｌ１Ｈ１０、Ｌ１Ｈ１１、Ｌ２Ｈ１、Ｌ２Ｈ２、Ｌ２Ｈ３、Ｌ２Ｈ４、Ｌ２Ｈ５、Ｌ２Ｈ６、Ｌ２Ｈ７、Ｌ２Ｈ８、Ｌ２Ｈ９、Ｌ２Ｈ１０、Ｌ２Ｈ１１、Ｌ２Ｈ１２、Ｌ２Ｈ１３、Ｌ２Ｈ１４、Ｌ３Ｈ１、Ｌ４Ｈ１、Ｌ５Ｈ１、Ｌ６Ｈ１のそれらで指定されているものに関する部分において、組み込まれている。これらの抗体の各々は、前述の公報で開示されているとして、参照により、本明細書においてその全体において完全に、個別的かつ具体的に組み込まれている。
【００７６】
ＡＩデバイスの注射器または他の主容器は、限定なく、米国特許出願公開第２００４／０９７７１２（Ａ１）号に記載されているものを含む、ＩＬ１−Ｒｌ特異抗体、ペプチボディ、および関連するタンパク質などで、治療のために充填されてもよく、または、あらかじめ充填されてもよい。米国特許出願公開第２００４／０９７７１２（Ａ１）号は、本明細書において、参照により、それらの全体において、具体的には、ＩＬ１−Ｒｌ特異結合タンパク質、モノクローナル抗体であって、特には、限定なく、１５ＣＡ、２６Ｆ５、２７Ｆ２、２４Ｅ１２、および１０Ｈ７のそれらで指定されているものに関する部分において、組み込まれている。これらのモノクローナル抗体の各々は、前述の米国特許出願公開で開示されているとして、参照により、本明細書においてその全体において完全に、個別的かつ具体的に組み込まれている。
【００７７】
ＡＩデバイスの注射器または他の主容器は、限定なく、ＰＣＴ公報ＷＯ  ０３／０５７１３４、および米国特許出願公開第２００３／０２２９０２３号に記載されているものを含む、Ａｎｇ２特異抗体、ペプチボディ、および関連するタンパク質などで、治療のために充填されてもよく、または、あらかじめ充填されてもよい。ＰＣＴ公報ＷＯ  ０３／０５７１３４および米国特許出願公開第２００３／０２２９０２３号の各々は、本明細書において、参照により、それらの全体において、具体的には、Ａｎｇ２特異抗体およびペプチボディなど、特には、それらに記載されており、限定されず、Ｌ１（Ｎ）、Ｌ１（Ｎ）  ＷＴ、Ｌ１（Ｎ）  ＩＫ  ＷＴ、２ｘＬｌ（Ｎ）、２ｘＬｌ（Ｎ）  ＷＴ、Ｃｏｎ４  （Ｎ）、Ｃｏｎ４  （Ｎ）  ＩＫ  ＷＴ、２ｘＣｏｎ４  （Ｎ）  ＩＫ、ＬＩＣ、ＬＩＣ  ＩＫ、２ｘＬｌＣ、Ｃｏｎ４Ｃ、Ｃｏｎ４Ｃ  ＩＫ、２ｘＣｏｎ４Ｃ  ＩＫ、Ｃｏｎ４−Ｌｌ  （Ｎ）、Ｃｏｎ４−ＬｌＣ、ＴＮ−１２−９  （Ｎ）、Ｃ１７  （Ｎ）、ＴＮ８−８（Ｎ）、ＴＮ８−１４  （Ｎ）、Ｃｏｎ  １  （Ｎ）を含む配列のものに関する部分において、組み込まれている。また、ＰＣＴ公報ＷＯ  ２００３／０３０８３３は、本明細書において、参照により、同じことに関して、具体的には、そこに記載されているような様々な置換におけるＡｂ５２６、Ａｂ５２８、Ａｂ５３１、Ａｂ５３３、Ａｂ５３５、Ａｂ５３６、Ａｂ５３７、Ａｂ５４０、Ａｂ５４３、Ａｂ５４４、Ａｂ５４５、Ａｂ５４６、Ａ５５１、Ａｂ５５３、Ａｂ５５５、Ａｂ５５８、Ａｂ５５９、Ａｂ５６５、ＡｂＦ１ＡｂＦＤ、ＡｂＦＥ、ＡｂＦＪ、ＡｂＦＫ、ＡｂＧ１Ｄ４、ＡｂＧＣ１Ｅ８、ＡｂＨ１Ｃ１２、Ａｂ１Ａ１、Ａｂ１Ｆ、Ａｂ１Ｋ、Ａｂ１Ｐ、およびＡｂ１Ｐに関して、その全体において組み込まれている。これらの各々は、前述の公報で開示されているとして、参照により、本明細書においてその全体において完全に、個別的かつ具体的に組み込まれている。
【００７８】
ＡＩデバイスの注射器または他の主容器は、具体的には、限定なく、米国特許出願公開第２００５／００７４８２１号および米国特許第６，９１９，４２６号に記載されているものを含む、ＮＧＦ特異抗体、ペプチボディ、および関連するタンパク質などで、治療のために充填されてもよく、または、あらかじめ充填されてもよい。米国特許出願公開第２００５／００７４８２１号および米国特許第６，９１９，４２６号は、本明細書において、参照により、それらの全体において、具体的には、４Ｄ４、４Ｇ６、６Ｈ９、７Ｈ２、１４Ｄ１０、および１４Ｄ１１のそれらで指定されているＮＧＦ特異抗体を限定されることなく含む、ＮＧＦ特異抗体と、この点において関連するタンパク質とについて、具体的には組み込まれている。これらのＮＧＦ特異抗体の各々は、前述の公報で開示されているとして、参照により、本明細書においてその全体において完全に、個別的かつ具体的に組み込まれている。
【００７９】
ＡＩデバイスの注射器または他の主容器は、米国特許第５，７８９，５５４号に記載されているものなど、ＣＤ２２特異抗体、ペプチボディ、および関連するタンパク質などで、治療のために充填されてもよく、または、あらかじめ充填されてもよい。米国特許第５，７８９，５５４号は、本明細書において、参照により、それらの全体において、ヒト化されたモノクローナル抗体および完全にヒトのモノクローナル抗体を限定されることなく含み、特には、例えば、ヒト−マウスモノクローナル抗体ｈＬＬ２カッパ鎖と連結されるヒト−マウスモノクローナル抗体ｈＬＬ２ガンマ鎖二硫化物の二量体など、ヒトＣＤ２２特異ＩｇＧを限定されることなく含み、例えば、ＣＡＳ登録番号５０１４２３−２３−０である、エプラツズマブにおけるヒトＣＤ２２特異完全ヒト化抗体を限定されることなく含む、ヒト化されたモノクローナル抗体および完全にヒトのモノクローナル抗体など、特にはヒトＣＤ２２特異抗体といった、ＣＤ２２特異抗体および関連するタンパク質に関して、組み込まれている。
【００８０】
ＡＩデバイスの注射器または他の主容器は、ＰＣＴ公報ＷＯ  ０６／０６９２０２に記載されているものなど、ＩＧＦ−１受容体特異抗体、ペプチボディ、および関連するタンパク質などで、治療のために充填されてもよく、または、あらかじめ充填されてもよい。ＰＣＴ公報ＷＯ  ０６／０６９２０２は、参照により、その全体において、Ｌ１Ｈ１、Ｌ２Ｈ２、Ｌ３Ｈ３、Ｌ４Ｈ４、Ｌ５Ｈ５、Ｌ６Ｈ６、Ｌ７Ｈ７、Ｌ８Ｈ８、Ｌ９Ｈ９、Ｌ１０Ｈ１０、Ｌ１１Ｈ１１、Ｌ１２Ｈ１２、Ｌ１３Ｈ１３、Ｌ１４Ｈ１４、Ｌ１５Ｈ１５、Ｌ１６Ｈ１６、Ｌ１７Ｈ１７、Ｌ１８Ｈ１８、Ｌ１９Ｈ１９、Ｌ２０Ｈ２０、Ｌ２１Ｈ２１、Ｌ２２Ｈ２２、Ｌ２３Ｈ２３、Ｌ２４Ｈ２４、Ｌ２５Ｈ２５、Ｌ２６Ｈ２６、Ｌ２７Ｈ２７、Ｌ２８Ｈ２８、Ｌ２９Ｈ２９、Ｌ３０Ｈ３０、Ｌ３１Ｈ３１、Ｌ３２Ｈ３２、Ｌ３３Ｈ３３、Ｌ３４Ｈ３４、Ｌ３５Ｈ３５、Ｌ３６Ｈ３６、Ｌ３７Ｈ３７、Ｌ３８Ｈ３８、Ｌ３９Ｈ３９、Ｌ４０Ｈ４０、Ｌ４１Ｈ４１、Ｌ４２Ｈ４２、Ｌ４３Ｈ４３、Ｌ４４Ｈ４４、Ｌ４５Ｈ４５、Ｌ４６Ｈ４６、Ｌ４７Ｈ４７、Ｌ４８Ｈ４８、Ｌ４９Ｈ４９、Ｌ５０Ｈ５０、Ｌ５１Ｈ５１、Ｌ５２Ｈ５２、およびＩＧＦ−１Ｒ結合断片およびその誘導体とそこで指定されているＩＧＦ−１特異抗体を限定されることなく含む、ＩＧＦ−１受容体特異抗体および関連するタンパク質に関して、組み込まれている。これらのＩＧＦ−１特異抗体の各々は、前述の国際公開で開示されているとして、参照により、本明細書においてその全体において完全に、個別的かつ具体的に組み込まれている。
【００８１】
本開示の方法および組成で使用するための抗ＩＧＦ−１Ｒの非限定的な例の中には、（ｉ）例えば、記載されている抗体１Ａ（ＤＳＭＺ受託番号ＤＳＭ  ＡＣＣ  ２５８６）、抗体８（ＤＳＭＺ受託番号ＤＳＭ  ＡＣＣ  ２５８９）、抗体２３（ＤＳＭＺ受託番号ＤＳＭ  ＡＣＣ  ２５８８）、および抗体１８を限定されることなく含む米国特許出願公開第２００６／００４０３５８号（２００６年２月２３日公開）、米国特許出願公開第２００５／０００８６４２号（２００５年１月１３日公開）、米国特許出願公開第２００４／０２２８８５９号（２００４年１１月１８日公開）、（ｉｉ）記載されている抗体２Ｆ８、Ａ１２、およびＩＭＣ−Ａ１２を限定されることなく含むＰＣＴ公開ＷＯ  ０６／１３８７２９（２００６年１２月２８日公開）、ＷＯ  ０５／０１６９７０（２００５年２月２４日公開）、およびＬｕ  ｅｔ  ａｌ，  ２００４，  Ｊ  Ｂｉｏｌ．  Ｃｈｅｍ．  ２７９：２８５６−６５、（ｉｉｉ）ＰＣＴ公開ＷＯ  ０７／０１２６１４（２００７年２月１日公開）、ＰＣＴ公開ＷＯ  ０７／０００３２８（２００７年１月４日公開）、ＰＣＴ公開ＷＯ  ０６／０１３４７２（２００６年２月９日公開）、ＰＣＴ公開ＷＯ  ０５／０５８９６７（２００５年６月３０日公開）、およびＰＣＴ公開ＷＯ  ０３／０５９９５１（２００３年７月２４日公開）、（ｉｖ）記載されている抗体７Ｃ１０、キメラ抗体Ｃ７Ｃ１０、抗体ｈ７Ｃ１０、抗体７Ｈ２Ｍ、キメラ抗体＊７Ｃ１０、抗体ＧＭ  ６０７、ヒト化された抗体７Ｃ１０バージョン１、ヒト化された抗体７Ｃ１０バージョン２、ヒト化された抗体７Ｃ１０バージョン３、および抗体７Ｈ２ＨＭを限定されることなく含む米国特許出願公開第２００５／００８４９０６号（２００５年４月２１日公開）、（ｖ）記載されている抗体ＥＭ１６４、再表面形成されたＥＭ１６４、ヒト化されたＥＭ１６４、ｈｕＥＭ１６４  ｖ１．０、ｈｕＥＭ１６４  ｖ１．１、ｈｕＥＭ１６４  ｖ１．２、およびｈｕＥＭ１６４  ｖ１．３を限定されることなく含む米国特許出願公開第２００５／０２４９７２８号（２００５年１１月１０日公開）、米国特許出願公開第２００５／０１８６２０３号（２００５年８月２５日公開）、米国特許出願公開第２００４／０２６５３０７号（２００４年１２月３０日公開）、米国特許出願公開第２００３／０２３５５８２号（２００３年１２月２５日公開）、およびＭａｌｏｎｅｙ  ｅｔ  ａｌ，  ２００３，  Ｃａｎｃｅｒ  Ｒｅｓ．  ６３：５０７３−８３、（ｖｉ）記載されているＡＴＣＣ受託番号ＰＴＡ−２７９２、ＰＴＡ−２７８８、ＰＴＡ−２７９０、ＰＴＡ−２７９１、ＰＴＡ−２７８９、ＰＴＡ−２７９３を有するハイブリドーマによって生成される抗体の各々を限定されることなく含む抗体７５１，８７１、抗体２．１２．１、２．１３．２、２．１４．３、３．１．１、４．９．２、および４．１７．３を限定されることなく含む米国特許第７，０３７，４９８号（２００６年５月２日発行）、米国特許出願公開第２００５／０２４４４０８号（２００５年１１月３０日公開）、米国特許出願公開第２００４／００８６５０３号（２００４年５月６日公開）、およびＣｏｈｅｎ，  ｅｔ  ａｌ，  ２００５，  Ｃｌｉｎｉｃａｌ  Ｃａｎｃｅｒ  Ｒｅｓ．  １１：２０６３−７３、（ｖｉｉ）記載されている抗体１９Ｄ１２と、プラスミド１５Ｈ１２／１９Ｄ１２  ＨＣＡ  （γ４）においてポリヌクレオチドによってコードされ、番号ＰＴＡ−５２１４においてＡＴＣＣに受託された重鎖、および、プラスミド１５Ｈ１２／１９Ｄ１２  ＬＣＦ  （κ）においてポリヌクレオチドによってコードされ、番号ＰＴＡ５２２０においてＡＴＣＣに受託された軽鎖を備える抗体とを限定されることなく含む米国特許出願公開第２００５／０１３６０６３号（２００５年６月２３日公開）および米国特許出願公開第２００４／００１８１９１号（２００４年１月２９日公開）、（ｖｉｉｉ）記載されている抗体ＰＩＮＴ−６Ａ１、ＰＩＮＴ−７Ａ２、ＰＩＮＴ−７Ａ４、ＰＩＮＴ−７Ａ５、ＰＩＮＴ−７Ａ６、ＰＩＮＴ−８Ａ１、ＰＩＮＴ−９Ａ２、ＰＩＮＴ−１１Ａ１、ＰＩＮＴ−１１Ａ２、ＰＩＮＴ−１１Ａ３、ＰＩＮＴ−１１Ａ４、ＰＩＮＴ−１１Ａ５、ＰＩＮＴ−１１Ａ７、ＰＩＮＴ−１１Ａ１２、ＰＩＮＴ−１２Ａ１、ＰＩＮＴ−１２Ａ２、ＰＩＮＴ−１２Ａ３、ＰＩＮＴ−１２Ａ４、およびＰＩＮＴ−１２Ａ５を限定されることなく含む米国特許出願公開第２００４／０２０２６５５号（２００４年１０月１４日公開）に記載されているものの各々および全部もある。それらの各々および全部は、本明細書において、参照により、それらの全体において、特には、ＩＧＦ−１受容体を対象とする前述の抗体、ペプチボディ、および関連するタンパク質などに関して、組み込まれている。
【００８２】
ＡＩデバイスの注射器または他の主容器は、具体的にはＢ７ＲＰ特異完全ヒトモノクローナルＩｇＧ２抗体、具体的にはＢ７ＲＰ−１の第１の免疫グロブリン様ドメインにおけるエピトープと結合する完全なヒトＩｇＧ２モノクローナル抗体、特には、具体的には活性化されたＴ細胞において、Ｂ７ＲＰ−１の、その自然受容体であるＩＣＯＳとの相互作用を抑制するもの、特には、前述の観点のすべてにおいて、米国特許出願公開第２００８／０１６６３５２号およびＰＣＴ公報ＷＯ  ０７／０１１９４１で開示されているものといった、タンパク質１特異抗体、ペプチボディ、関連するタンパク質など（「Ｂ７ＲＰ−１」は、文献において、Ｂ７Ｈ２、ＩＣＯＳＬ、Ｂ７ｈ、およびＣＤ２７５とも称される）で、治療のために充填されてもよく、または、あらかじめ充填されてもよい。米国特許出願公開第２００８／０１６６３５２号およびＰＣＴ公報ＷＯ  ０７／０１１９４１は、本明細書において、参照により、それらの全体において、１６Ｈ（軽鎖可変配列ＳＥＱ  ＩＤ  ＮＯ：１および重鎖可変配列ＳＥＱ  ＩＤ  ＮＯ：７を有する）、５Ｄ（軽鎖可変配列ＳＥＱ  ＩＤ  ＮＯ：２および重鎖可変配列ＳＥＱ  ＩＤ  ＮＯ：９を有する）、２Ｈ（軽鎖可変配列ＳＥＱ  ＩＤ  ＮＯ：３および重鎖可変配列ＳＥＱ  ＩＤ  ＮＯ：１０を有する）、４３Ｈ（軽鎖可変配列ＳＥＱ  ＩＤ  ＮＯ：６および重鎖可変配列ＳＥＱ  ＩＤ  ＮＯ：１４を有する）、４１Ｈ（軽鎖可変配列ＳＥＱ  ＩＤ  ＮＯ：５および重鎖可変配列ＳＥＱ  ＩＤ  ＮＯ：１３を有する）、および１５Ｈ（軽鎖可変配列ＳＥＱ  ＩＤ  ＮＯ：４および重鎖可変配列ＳＥＱ  ＩＤ  ＮＯ：１２を有する）のそれらで指定されている抗体を限定されることなく含む、このような抗体および関連するタンパク質に関して、組み込まれている。これらの抗体の各々は、前述の米国特許出願公開で開示されているとして、参照により、本明細書においてその全体において完全に、個別的かつ具体的に組み込まれている。
【００８３】
ＡＩデバイスの注射器または他の主容器は、具体的にはヒト化されたモノクローナル抗体、特には、米国特許出願公開第２００３／０１３８４２１号、第２００３／０２３５８６号、第２００４／００７１７０２号、および米国特許第７，１５３，５０７号で開示されているものなど、ＩＬ−１５特異抗体、ペプチボディ、および関連するタンパク質などで、治療のために充填されてもよく、または、あらかじめ充填されてもよい。これら文献の各々は、本明細書において、参照により、その全体において、例えば限定されることなくＨｕＭａｘ  ＩＬ−１５抗体、および、例えば１４６Ｂ７などの関連するタンパク質を含む、ＩＬ−１５特異抗体および関連するタンパク質に関して、組み込まれている。
【００８４】
ＡＩデバイスの注射器または他の主容器は、ヒトＩＬ−１７受容体Ａに対する拮抗ヒトモノクローナル抗体を備える医薬組成物で、治療のために充填されてもよく、または、あらかじめ充填されてもよい。ＩＬ−１７受容体Ａの特性、クローニング、および調合は、本明細書において参照によりその全体において組み込まれている２０００年６月６日に発行された米国特許第６，０７２，０３３号に記載されている。ヒトＩＬ−１７Ａのアミノ酸配列は、米国特許第６，０７２，０３３号のＳＥＱ  ＩＤ  ＮＯ：１０（ＧｅｎＢａｎｋ受入れ番号ＮＭ＿０１４３３９）に示されている。このような抗体は、参照によりその全体において組み込まれているＷＯ  ２００８／０５４６０３に開示されているもの、または、参照によりその全体において組み込まれている、２０１０年８月３日に発行された米国特許第７，７６７，２０６号と米国特許出願第１１／９０６，０９４号とにおいて請求された抗体を含み得る。
【００８５】
ＡＩデバイスの注射器または他の主容器は、特にはヒトＩＦＮガンマ特異抗体、具体的には、例えば、米国特許出願公開第２００５／０００４３５３号に記載されているものなど、完全なヒト抗ＩＦＮガンマ抗体といった、ＩＦＮガンマ特異抗体、ペプチボディ、および関連するタンパク質などで、治療のために充填されてもよく、または、あらかじめ充填されてもよい。米国特許出願公開第２００５／０００４３５３号は、本明細書において、参照により、その全体において、特には、例えば、１１１８、１１１８＊、１１１９、１１２１、および１１２１＊とそこで指定されている抗体といった、ＩＦＮガンマ特異抗体に関して、組み込まれている。これらの抗体の各々の重鎖および軽鎖の全体の配列は、それらの重鎖可変領域および軽鎖可変領域と相補性決定領域との配列と共に、参照により、本明細書において、その全体において完全に、前述の米国特許出願公開およびＴｈａｋｕｒ  ｅｔ  ａｌ．，  Ｍｏｌ．  Ｉｍｍｕｎｏｌ．  ３６：１１０７−１１１５  （１９９９）に開示されているとして、個別的かつ具体的に各々組み込まれている。また、前述の米国特許出願公開で提供されているこれらの抗体の特性の記載は、参照により、本明細書において、その全体において組み込まれてもいる。具体的な抗体としては、米国特許出願公開に開示されているように、ＳＥＱ  ＩＤ  ＮＯ：１７の重鎖およびＳＥＱ  ＩＤ  ＮＯ：１８の軽鎖を有するものを備え、それらは、ＳＥＱ  ＩＤ  ＮＯ：６の重鎖可変領域およびＳＥＱ  ＩＤ  ＮＯ：８の軽鎖可変領域を有するもの、ＳＥＱ  ＩＤ  ＮＯ：１９の重鎖およびＳＥＱ  ＩＤ  ＮＯ：２０の軽鎖を有するもの、ＳＥＱ  ＩＤ  ＮＯ：１０の重鎖可変領域およびＳＥＱ  ＩＤ  ＮＯ：１２の軽鎖可変領域を有するもの、ＳＥＱ  ＩＤ  ＮＯ：３２の重鎖およびＳＥＱ  ＩＤ  ＮＯ：２０の軽鎖を有するもの、ＳＥＱ  ＩＤ  ＮＯ：３０の重鎖可変領域およびＳＥＱ  ＩＤ  ＮＯ：１２の軽鎖可変領域を有するもの、ＳＥＱ  ＩＤ  ＮＯ：２１の重鎖配列およびＳＥＱ  ＩＤ  ＮＯ：２２の軽鎖配列を有するもの、ＳＥＱ  ＩＤ  ＮＯ：１４の重鎖可変領域およびＳＥＱ  ＩＤ  ＮＯ：１６の軽鎖可変領域を有するもの、ＳＥＱ  ＩＤ  ＮＯ：２１の重鎖およびＳＥＱ  ＩＤ  ＮＯ：３３の軽鎖を有するもの、ならびに、ＳＥＱ  ＩＤ  ＮＯ：１４の重鎖可変領域およびＳＥＱ  ＩＤ  ＮＯ：３１の軽鎖可変領域を有するものがある。検討される特定の抗体は、前述の米国特許出願公開に開示されており、そこで開示されているような、ＳＥＱ  ＩＤ  ＮＯ：１７の完全な重鎖と、そこで開示されているＳＥＱ  ＩＤ  ＮＯ：１８の完全な軽鎖とを有する抗体１１１９である。
【００８６】
ＡＩデバイスの注射器または他の主容器は、米国特許出願公開第２００３／０１９５１５６号および第２００６／０１３５４３１号で開示されているものなど、ＴＡＬＬ−１特異抗体、ペプチボディ、関連するタンパク質など、および他のＴＡＬＬ特異結合タンパク質で、治療のために充填されてもよく、または、あらかじめ充填されてもよい。これらの文献の各々は、本明細書において、参照により、その全体において、ＴＡＬＬ−１結合タンパク質、特には、各々が参照により、本明細書において、その全体において、先の米国特許出願公開で開示されているとして完全に、個別的かつ具体的に組み込まれているその表４および表５Ｂの分子に関して、組み込まれている。
【００８７】
ＡＩデバイスの注射器または他の主容器は、米国特許第６，７５６，４８０号に記載されているものなど、ＰＴＨ特異抗体、ペプチボディ、および関連するタンパク質などで、治療のために充填されてもよく、または、あらかじめ充填されてもよい。米国特許第６，７５６，４８０号は、本明細書において、参照により、その全体において、特にはＰＴＨを結合するタンパク質に関する部分において、組み込まれている。
【００８８】
ＡＩデバイスの注射器または他の主容器は、米国特許第６，８３５，８０９号に記載されているものなど、ＴＰＯ−Ｒ特異抗体、ペプチボディ、および関連するタンパク質などで、治療のために充填されてもよく、または、あらかじめ充填されてもよい。米国特許第６，８３５，８０９号は、本明細書において、参照により、その全体において、特にはＴＰＯ−Ｒを結合するタンパク質に関する部分において、組み込まれている。
【００８９】
ＡＩデバイスの注射器または他の主容器は、米国特許出願公開第２００５／０１１８６４３号およびＰＣＴ公報ＷＯ  ２００５／０１７１０７に記載されている、肝細胞増殖因子／分散（ＨＧＦ／ＳＦ）を中和する完全なヒトのモノクローナル抗体、米国特許第７，２２０，４１０号に記載されているｈｕＬ２Ｇ７、および、米国特許第５，６８６，２９２号、米国特許第６，４６８，５２９号、およびＰＣＴ公報ＷＯ  ９６／３８５５７に記載されているＯＡ−５ｄ５など、ＨＧＦ／ＳＦ：ｃＭｅｔ軸（ＨＧＦ／ＳＦ：ｃ−Ｍｅｔ）を対象とするもの含む、ＨＧＦ特異抗体、ペプチボディ、および関連するタンパク質などで、治療のために充填されてもよく、または、あらかじめ充填されてもよい。これらの文献の各々は、本明細書において、参照により、その全体において、特にはＨＧＦを結合するタンパク質に関する部分において、組み込まれている。
【００９０】
ＡＩデバイスの注射器または他の主容器は、米国特許第７，５２１，０４８号に記載されているものなど、ＴＲＡＩＬ−Ｒ２特異抗体、ペプチボディ、および関連するタンパク質などで、治療のために充填されてもよく、または、あらかじめ充填されてもよい。米国特許第７，５２１，０４８号は、本明細書において、参照により、その全体において、特にはＴＲＡＩＬ−Ｒ２を結合するタンパク質に関する部分において、組み込まれている。
【００９１】
ＡＩデバイスの注射器または他の主容器は、米国特許出願公開第２００９／０２３４１０６号に記載されているものを限定され得ることなく含む、アクチビンＡ特異抗体、ペプチボディ、および関連するタンパク質などで、治療のために充填されてもよく、または、あらかじめ充填されてもよい。米国特許出願公開第２００９／０２３４１０６号は、本明細書において、参照により、その全体において、特にはアクチビンＡを結合するタンパク質に関する部分において、組み込まれている。
【００９２】
ＡＩデバイスの注射器または他の主容器は、米国特許第６，８０３，４５３号および米国特許出願公開第２００７／０１１０７４７号に記載されているものを限定されることなく含む、ＴＧＦ−ベータ特異抗体、ペプチボディ、および関連するタンパク質などで、治療のために充填されてもよく、または、あらかじめ充填されてもよい。米国特許第６，８０３，４５３号および米国特許出願公開第２００７／０１１０７４７号の各々は、本明細書において、参照により、その全体において、特にはＴＧＦ−ベータを結合するタンパク質に関する部分において、組み込まれている。
【００９３】
ＡＩデバイスの注射器または他の主容器は、ＰＣＴ公開ＷＯ  ２００６／０８１１７１に記載されているものを限定されることなく含む、アミロイド−ベータ特異抗体、ペプチボディ、および関連するタンパク質などで、治療のために充填されてもよく、または、あらかじめ充填されてもよい。ＰＣＴ公開ＷＯ  ２００６／０８１１７１は、本明細書において、参照により、その全体において、特にはアミロイド−ベータタンパク質を結合するタンパク質に関する部分において、組み込まれている。検討されているある抗体は、国際公開に開示されているような、ＳＥＱ  ＩＤ  ＮＯ：８を含む重鎖可変領域と、ＳＥＱ  ＩＤ  ＮＯ：６を含む軽鎖可変領域とを有する抗体である。
【００９４】
ＡＩデバイスの注射器または他の主容器は、米国特許出願公開第２００７／０２５３９５１号に記載されているものを限定されることなく含む、ｃ−Ｋｉｔ特異抗体、ペプチボディ、および関連するタンパク質などで、治療のために充填されてもよく、または、あらかじめ充填されてもよい。米国特許出願公開第２００７／０２５３９５１号は、本明細書において、参照により、その全体において、特にはｃ−Ｋｉｔおよび／または他の幹細胞因子受容体を結合するタンパク質に関する部分において、組み込まれている。
【００９５】
ＡＩデバイスの注射器または他の主容器は、米国特許出願第１１／０６８，２８９号に記載されているものを限定されることなく含む、ＯＸ４０Ｌ特異抗体、ペプチボディ、および関連するタンパク質などで、治療のために充填されてもよく、または、あらかじめ充填されてもよい。米国特許出願第１１／０６８，２８９号は、本明細書において、参照により、その全体において、特にはＯＸ４０Ｌおよび／またはＯＸ４０受容体の他のリガンドを結合するタンパク質に関する部分において、組み込まれている。
【００９６】
ＡＩデバイスの注射器または他の主容器は、以下のものを限定されることなく含む他の例示のタンパク質で、治療のために充填されてもよく、または、あらかじめ充填されてもよい。それらは、Ａｃｔｉｖａｓｅ（登録商標）（アルテプラーゼ、ｔＰＡ）；Ａｒａｎｅｓｐ（登録商標）（ダルベポエチンアルファ）、Ｅｐｏｇｅｎ（登録商標）（エポエチンアルファまたはエリスロポエチン）；Ａｖｏｎｅｘ（登録商標）（インターフェロンベータ−１ａ）；Ｂｅｘｘａｒ（登録商標）（トシツモマブ、抗ＣＤ２２モノクローナル抗体）；Ｂｅｔａｓｅｒｏｎ（登録商標）（インターフェロンベータ）；Ｃａｍｐａｔｈ（登録商標）（アレムツズマブ、抗ＣＤ５２モノクローナル抗体）；Ｄｙｎｅｐｏ（登録商標）（エポエチンデルタ）；Ｖｅｌｃａｄｅ（登録商標）（ボルテゾミブ）；ＭＬＮ０００２（抗α４β７ｍＡｂ）；ＭＬＮ１２０２（抗ＣＣＲ２ケモカイン受容体ｍＡｂ）；Ｅｎｂｒｅｌ（登録商標）（エタネルセプト、ＴＮＦ−受容体／Ｆｃ融合タンパク質、ＴＮＦ遮断薬）；Ｅｐｒｅｘ（登録商標）エポエチンアルファ）；Ｅｒｂｉｔｕｘ（登録商標）（セツキシマブ、抗ＥＧＦＲ／ＨＥＲＩ／ｃ−ＥｒｂＢ−１）；Ｇｅｎｏｔｒｏｐｉｎ（登録商標）（ソマトロピン、ヒト成長ホルモン）；Ｈｅｒｃｅｐｔｉｎ（登録商標）（トラスツズマブ、抗ＨＥＲ２／ｎｅｕ（ｅｒｂＢ２）受容体ｍＡｂ）；Ｈｕｍａｔｒｏｐｅ（登録商標）（ソマトロピン、ヒト成長ホルモン）；Ｈｕｍｉｒａ（登録商標）（アダリムマブ）；溶液中のインスリン；Ｉｎｆｅｒｇｅｎ（登録商標）（インターフェロンアルファｃｏｎ−１）；Ｎａｔｒｅｃｏｒ（登録商標）（ネシリチド）；組み換え型ヒトＢ型ナトリウム利尿ペプチド（ｈＢＮＰ）；Ｋｉｎｅｒｅｔ（登録商標）（アナキンラ）、Ｌｅｕｋｉｎｅ（登録商標）（サルガモスチム、ｒｈｕＧＭ−ＣＳＦ）；ＬｙｍｐｈｏＣｉｄｅ（登録商標）（エプラツズマブ、抗ＣＤ２２ｍＡｂ）；Ｌｙｍｐｈｏｓｔａｔ  Ｂ（登録商標）（ベリムマブ、抗ＢｌｙＳ  ｍＡｂ）；Ｍｅｔａｌｙｓｅ（登録商標）（テネクテプラーゼ、ｔ−ＰＡ類似体）；Ｍｉｒｃｅｒａ（登録商標）（メトキシポリエチレングリコール−エポエチンベータ）；Ｍｙｌｏｔａｒｇ（登録商標）（ゲムツズマブオゾガマイシン）；Ｒａｐｔｉｖａ（登録商標）（エファリズマブ）；Ｃｉｍｚｉａ（登録商標）（セルトリズマブペゴル、ＣＤＰ  ８７０）；Ｓｏｌｉｒｉｓ（商標）（エクリズマブ）；パキセリズマブ（抗Ｃ５補体）；ＭＥＤＩ−５２４（Ｎｕｍａｘ（登録商標））；Ｌｕｃｅｎｔｉｓ（登録商標）（ラニビズマブ）；１７−１Ａ（エドレコロマブ、Ｐａｎｏｒｅｘ（登録商標））；Ｔｒａｂｉｏ（登録商標）（レルデリムマブ）；ＴｈｅｒａＣｉｍ  ｈＲ３（ニモツズマブ）；オムニターグ（ペルツズマブ、２Ｃ４）；Ｏｓｉｄｅｍ（登録商標）（ＩＤＭ−１）；ＯｖａＲｅｘ（登録商標）（Ｂ４３．１３）；Ｎｕｖｉｏｎ（登録商標）（ビジリズマブ）；カンツズマブメルタンシン（ｈｕＣ２４２−ＤＭｌ）；ＮｅｏＲｅｃｏｒｍｏｎ（登録商標）（エポエチンベータ）；Ｎｅｕｍｅｇａ（登録商標）（オプレルベキン、ヒトインターロイキン−１１）；Ｎｅｕｌａｓｔａ（登録商標）（ペグフィルグラスチム、ペグＧ−ＣＳＦ、ペグｈｕ−Ｍｅｔ−Ｇ−ＣＳＦ）；Ｎｅｕｐｏｇｅｎ（登録商標）（フィルグラスチム、Ｇ−ＣＳＦ、ｈｕ−ＭｅｔＧ−ＣＳＦ）；Ｏｒｔｈｏｃｌｏｎｅ  ＯＫＴ３（登録商標）（ムロモナブ−ＣＤ３、抗ＣＤ３モノクローナル抗体）、Ｐｒｏｃｒｉｔ（登録商標）（エポエチンアルファ）；Ｒｅｍｉｃａｄｅ（登録商標）（インフリキシマブ、抗ＴＮＦａモノクローナル抗体）、Ｒｅｏｐｒｏ（登録商標）（アブシキシマブ、抗ＧＰ  ＩＩｂ／ＩＩｉａ受容体モノクローナル抗体）、Ａｃｔｅｍｒａ（登録商標）（抗ＩＬ６受容体ｍＡｂ）、Ａｖａｓｔｉｎ（登録商標）（ベバシズマブ）、ＨｕＭａｘ−ＣＤ４（ザノリムマブ）、Ｒｉｔｕｘａｎ（登録商標）（リツキシマブ、抗ＣＤ２０  ｍＡｂ）；Ｔａｒｃｅｖａ（登録商標）（エルロチニブ）；Ｒｏｆｅｒｏｎ−Ａ（登録商標）（インターフェロンアルファ−２ａ）；Ｓｉｍｕｌｅｃｔ（登録商標）（バシリキシマブ）；Ｐｒｅｘｉｇｅ（登録商標）（ルミラコキシブ）；Ｓｙｎａｇｉｓ（登録商標）（パリビズマブ）；１４６Ｂ７−ＣＨＯ（抗ＩＬ１５抗体、米国特許第７，１５３，５０７号を参照）、Ｔｙｓａｂｒｉ（登録商標）（ナタリズマブ、抗α４インテグリンｍＡｂ）；Ｖａｌｏｒｔｉｍ（登録商標）（ＭＤＸ−１３０３、抗Ｂ．炭疽菌防御抗原ｍＡｂ）；ＡＢｔｈｒａｘ（商標）；Ｖｅｃｔｉｂｉｘ（登録商標）（パニツムマブ）；Ｘｏｌａｉｒ（登録商標）（オマリズマブ）、ＥＴＩ２１１（抗ＭＲＳＡ  ｍＡｂ）、ＩＬ−１  Ｔｒａｐ（ヒトＩｇＧ１のＦｃ部分および両方のＩＬ−１受容体成分の細胞外領域（Ｔｙｐｅ  Ｉ受容体および受容体アクセサリータンパク質））、ＶＥＧＦ  Ｔｒａｐ（ＩｇＧ１  Ｆｃに融合したＶＥＧＦＲ１のＩｇ領域）、Ｚｅｎａｐａｘ（登録商標）（ダクリズマブ）；Ｚｅｎａｐａｘ（登録商標）（ダクリズマブ、抗ＩＬ−２Ｒα  ｍＡｂ）、Ｚｅｖａｌｉｎ（登録商標）（イブリツモマブチウキセタン）、Ｚｅｔｉａ（エゼチミブ）、アタシセプト（ＴＡＣＩ−Ｉｇ）、抗ＣＤ８０モノクローナル抗体（ｍＡｂ）（ガリキシマブ）、抗ＣＤ２３  ｍＡｂ（ルミリキシマブ）、ＢＲ２−Ｆｃ（ｈｕＢＲ３／ｈｕＦｃ融合タンパク質、可溶性ＢＡＦＦ拮抗薬）；ＣＮＴＯ  １４８（ゴリムマブ、抗ＴＮＦα  ｍＡｂ）；ＨＧＳ−ＥＴＲ１（マパツムマブ；ヒト抗ＴＲＡＩＬ受容体−１  ｍＡｂ）；ＨｕＭａｘ−ＣＤ２０（オクレリズマブ、抗ＣＤ２０ヒトｍＡｂ）；ＨｕＭａｘ−ＥＧＦＲ（ザルツムマブ）；Ｍ２００（ボロシキシマブ、抗α５β１インテグリンｍＡｂ）；ＭＤＸ−０１０（イピリムマブ、抗ＣＴＬＡ−４  ｍＡｂおよびＶＥＧＦＲ−１（ＩＭＣ−１８Ｆ１）；抗ＢＲ３  ｍＡｂ；抗Ｃ．ディフィシル毒素Ａおよび毒素Ｂ  Ｃ  ｍＡｂｓ  ＭＤＸ−０６６（ＣＤＡ−１）およびＭＤＸ−１３８８）；抗ＣＤ２２  ｄｓＦｖ−ＰＥ３８共役（ＣＡＴ−３８８８およびＣＡＴ−８０１５）；抗ＣＤ２５  ｍＡｂ（ＨｕＭａｘ−ＴＡＣ）；抗ＣＤ３  ｍＡｂ（ＮＩ−０４０１）；アデカツムマブ；抗ＣＤ３０  ｍＡｂ（ＭＤＸ−０６０）；ＭＤＸ−１３３３（抗ＩＦＮＡＲ）；抗ＣＤ３８  ｍＡｂ（ＨｕＭａｘ  ＣＤ３８）；抗ＣＤ４０Ｌ  ｍＡｂ；抗Ｃｒｉｐｔｏ  ｍＡｂ；抗ＣＴＧＦ特発性肺線維症Ｐｈａｓ���  Ｉ  Ｆｉｂｒｏｇｅｎ（ＦＧ−３０１９）；抗ＣＴＬＡ４  ｍＡｂ；抗エオタキシンｍＡｂ（ＣＡＴ−２１３）；抗ＦＧＦ８  ｍＡｂ；抗ガングリオシドＧＤ２  ｍＡｂ；抗ガングリオシドＧＭ２  ｍＡｂ；抗ＧＤＦ−８ヒトｍＡｂ（ＭＹＯ−０２９）；抗ＧＭ−ＣＳＦ受容体ｍＡｂ（ＣＡＭ−３００１）；抗ＨｅｐＣ  ｍＡｂ（ＨｕＭａｘ  ＨｅｐＣ）；抗ＩＦＮα  ｍＡｂ（ＭＥＤＩ−５４５、ＭＤＸ−１１０３）；抗ＩＧＦＩＲ  ｍＡｂ；抗ＩＧＦ−１Ｒ  ｍＡｂ（ＨｕＭａｘ−Ｉｎｆｉａｍ）；抗ＩＬ１２  ｍＡｂ（ＡＢＴ−８７４）；抗ＩＬ１２／ＩＬ２３  ｍＡｂ（ＣＮＴＯ  １２７５）；抗ＩＬ１３  ｍＡｂ（ＣＡＴ−３５４）；抗ＩＬ２Ｒａ  ｍＡｂ（ＨｕＭａｘ−ＴＡＣ）；抗ＩＬ５受容体ｍＡｂ；抗インテグリン受容体ｍＡｂ（ＭＤＸ−０１８、ＣＮＴＯ  ９５）；抗ＩＰ  １０潰瘍性大腸炎ｍＡｂ（ＭＤＸ−  １１００）；抗ＬＬＹ抗体；ＢＭＳ−６６５１３；抗マンノース受容体／ｈＣＧβ  ｍＡｂ（ＭＤＸ−１３０７）；抗メソテリンｄｓＦｖ−ＰＥ３８共役（ＣＡＴ−５００１）；抗ＰＤ１ｍＡｂ（ＭＤＸ−１１０６  （ＯＮＯ−４５３８））；抗ＰＤＧＦＲα抗体（ＩＭＣ−３Ｇ３）；抗ＴＧＦβｍＡｂ（ＧＣ−１００８）；抗ＴＲＡＩＬ受容体−２ヒトｍＡｂ（ＨＧＳ−ＥＴＲ２）；抗ＴＷＥＡＫ  ｍＡｂ；抗ＶＥＧＦＲ／Ｆｌｔ−１  ｍＡｂ；抗ＺＰ３  ｍＡｂ（ＨｕＭａｘ−ＺＰ３）；ＮＶＳ抗体＃１；およびＮＶＳ抗体＃２；限定されることなく、ロモソズマブ（ｒｏｍｏｓｏｚｕｍａｂ）、ブロソズマブ（ｂｌｏｓｏｚｕｍａｂ）、またはＢＰＳ  ８０４（Ｎｏｖａｒｔｉｓ）などのスクレロスチン抗体である。同じく含まれ得るのは、リロツムマブ、ビキサロマ、トレバナニブ、ガニツマブ、コナツムマブ、モテサニブ二リン酸塩、ブロダルマブ、ビヅピプラント、パニツムマブ、デノスマブ、ＮＰＬＡＴＥ、ＰＲＯＬＩＡ、ＶＥＣＴＩＢＩＸ、またはＸＧＥＶＡなどの治療物質であり得る。また、ＡＩに含まれ得るのは、例えば、米国特許第８，０３０，５４７号、米国特許出願第１３／４６９，０３２号、ＷＯ２００８／０５７４５７、ＷＯ２００８／０５７４５８、ＷＯ２００８／０５７４５９、ＷＯ２００８／０６３３８２、ＷＯ２００８／１３３６４７、ＷＯ２００９／１００２９７、ＷＯ２００９／１００３１８、ＷＯ２０１１／０３７７９１、ＷＯ２０１１／０５３７５９、ＷＯ２０１１／０５３７８３、ＷＯ２００８／１２５６２３、ＷＯ２０１１／０７２２６３、ＷＯ２００９／０５５７８３、ＷＯ２０１２／０５４４４３８、ＷＯ２０１０／０２９５１３、ＷＯ２０１１／１１１００７、ＷＯ２０１０／０７７８５４、ＷＯ２０１２／０８８３１３、ＷＯ２０１２／１０１２５１、ＷＯ２０１２／１０１２５２、ＷＯ２０１２／１０１２５３、ＷＯ２０１２／１０９５３０、およびＷＯ２００１／０３１００７といった、ヒトプロタンパク質転換酵素ズブチリシン／Ｋｅｘｉｎ  Ｔｙｐｅ  ９（ＰＣＳＫ９）を結合するモノクローナル抗体（ＩｇＧ）であり得る。
【００９７】
ＡＩデバイスの注射器または他の主容器は、限定されることなく、前述のタンパク質および／または以下の抗原を含むタンパク質のうちの任意のものまたは組み合わせを認識するものを限定されることなく含む抗体で、治療のために充填されてもよく、または、あらかじめ充填されてもよい。それらの抗原は、ＣＤ２、ＣＤ３、ＣＤ４、ＣＤ８、ＣＤ１１ａ、ＣＤ１４、ＣＤ１８、ＣＤ２０、ＣＤ２２、ＣＤ２３、ＣＤ２５、ＣＤ３３、ＣＤ４０、ＣＤ４４、ＣＤ５２、ＣＤ８０（Ｂ７．１）、ＣＤ８６（Ｂ７．２）、ＣＤ１４７、ＩＬ−１α、ＩＬ−１β、ＩＬ−２、ＩＬ−３、ＩＬ−７、ＩＬ−４、ＩＬ−５、ＩＬ−８、ＩＬ−１０、ＩＬ−２受容体、ＩＬ−４受容体、ＩＬ−６受容体、ＩＬ−１３受容体、ＩＬ−１８受容体サブユニット、ＦＧＬ２、ＰＤＧＦ−βおよびその類似体（米国特許第５，２７２，０６４号および第５，１４９，７９２号を参照）、ＶＥＧＦ、ＴＧＦ、ＴＧＦ−β２、ＴＧＦ−β１、ＥＧＦ受容体（米国特許第６，２３５，８８３号参照）、ＶＥＧＦ受容体、肝細胞増殖因子、オステオプロテグリンリガンド、インターフェロンガンマ、Ｂリンパ球刺激因子（ＢｌｙＳ、または、ＢＡＦＦ、ＴＨＡＮＫ、ＴＡＬＬ−１、およびｚＴＮＦ４としても知られている；Ｄｏ  ａｎｄ  Ｃｈｅｎ−Ｋｉａｎｇ  （２００２）、Ｃｙｔｏｋｉｎｅ  Ｇｒｏｗｔｈ  Ｆａｃｔｏｒ  Ｒｅｖ．  １３（１）：１９−２５を参照）、Ｃ５補体、ＩｇＥ、腫瘍抗原ＣＡ１２５、腫瘍抗原ＭＵＣ１、ＰＥＭ抗原、ＬＣＧ（肺癌との関連で発現される遺伝子産物である）、ＨＥＲ−２、腫瘍関連糖タンパク質ＴＡＧ−７２、ＳＫ−１抗原、大腸および／または膵臓の癌で患者の血清に高いレベルで存在する腫瘍関連エピトープ、乳、大腸、扁平上皮細胞、前立腺、膵臓、肺、および／もしくは腎臓の癌細胞において、ならびに／または、黒色腫、神経膠腫、もしくは神経芽細胞腫において発現される癌関連エピトープまたはタンパク質、腫瘍の壊死性コア、インテグリンアルファ４ベータ７、インテグリンＶＬＡ−４、Ｂ２インテグリン、ＴＲＡＩＬ受容体１、２、３、および４、ＲＡＮＫ、ＲＡＮＫリガンド、ＴＮＦ−α、接着分子ＶＡＰ−１、上皮細胞接着分子（ＥｐＣＡＭ）、細胞間接着分子−３（ＩＣＡＭ−３）、白血球インテグリン接着、血小板糖タンパク質ｇｐ  Ｉｌｂ／ＩＩＩａ、心臓ミオシン重鎖、上皮小体ホルモン、ｒＮＡＰｃ２（因子ＶＩＩａ組織因子の阻害剤である）、ＭＨＣ  Ｉ、癌胎児性抗原（ＣＥＡ）、アルファフェトプロテイン（ＡＦＰ）、腫瘍壊死因子（ＴＮＦ）、ＣＴＬＡ−４（細胞毒性Ｔリンパ球関連抗原である）、Ｆｃ−γ−１受容体、ＨＬＡ−ＤＲ  １０ベータ、ＨＬＡ−ＤＲ抗原、Ｌ−セレクチン、呼吸器合胞体ウイルス、ヒト免疫不全ウイルス（ＨＩＶ）、肝炎Ｂウイルス（ＨＢＶ）、ミュータンス菌、および黄色ブドウ球菌である。
【００９８】
ＡＩデバイスの注射器または他の主容器に収容され得る既知の抗体の追加の例には、限定されることなく、アダリムマブ、ベバシズマブ、インフリキシマブ、アブシキシマブ、アレムツズマブ、バピネオズマブ、バシリキシマブ、ベリムマブ、ブリアキヌマブ、カナキヌマブ、セルトリズマブペゴル、セツキシマブ、コナツムマブ、デノスマブ、エクリズマブ、ゲムツズマブオゾガマイシン、ゴリムマブ、イブリツモマブチウキセタン、ラベツズマブ、マパツムマブ、マツズマブ、メポリズマブ、モタビズマブ、ムロモナブ−ＣＤ３、ナタリズマブ、ニモツズマブ、オファツムマブ、オマリズマブ、オレゴボマブ、パリビズマブ、パニツムマブ、ペルツモマブ、ペルツズマブ、ラニビズマブ、リツキシマブ、ロベリツマブ、トシリズマブ、トシツモマブ、トラスツズマブ、ウステキヌマブ、ザルツムマブ、およびザノリムマブがあり得る。
【００９９】
構成は、ドーム形であることに限定されず、本明細書に記載されている他の基準を満たすという条件で、適切な人間工学的効果を提供する任意の形が用いられ得ることは、理解されるべきである。
【０１００】
本開示のＡＩデバイスは、図示した実施形態の観点から説明されてきたが、それに限定されることはない。むしろ、添付の特許請求の範囲は、ＡＩデバイス、および、それらの要素の等価の範囲および領域から逸脱することなく当業者によって作られ得るＡＩデバイスの他の変形およびその実施形態を含むように、幅広く解釈されるべきである。
【符号の説明】
【０１０１】
１００  ＡＩデバイス、注入機
１０２  基部
１０２Ｔ  上面
１０４  柔軟層
１０４Ｗ  作用面
１０６  除去可能基材
１０６Ｌ  弱い線状部
１０６ＯＰ  相対する部分
１０６Ｔ  プルタブ構造体
１０８  空気抜き構成
１１０  カバー
１１０Ｔ  上面
１１２  掌ボタン
１１２  一部
１１４  指パッド
１１６  薬物容器視認窓
１１８  引込式カバー戻し柱
１２０  戻しバネ
１２２  掌ボタン支持柱
１２４  注入場所アイソレータ
１２４Ｅ  下縁
１２６  内部
１２８  注入室
１３０  注入ユニット（ＩＵ）組立体
１３２  加熱要素
１３４  注射器担持体
１３４Ｔ  駆動当接タブ、駆動タブ
１３４ＴＦ  前当接面
１３４ＴＲ  後当接面
１３６  注射器、主容器
１３６Ｂ  胴部
１３６ＢＦ  前方端
１３６ＢＲ  後方端
１３６Ｎ  皮下注射針
１３６ＮＳ  針遮蔽体
１３６Ｐ  押子棒
１３６ＰＲ  後方端
１３６Ｓ  ストッパ
１３８  担持体駆動部
１３８ＩＳ  挿入バネ
１３８Ｒ  バネ保持レール
１３８ＲＨ  格納バネ保持体
１３８ＲＳ  格納バネ
１３８ＲＣ  担持体トリガレール接続部
１３８ＳＨ  挿入バネ保持体
１３８Ｔ  旋回担持体トリガ
１３８ＴＲ  担持体トリガレール
１４０  押子駆動部
１４０Ｈ  押子保持体
１４０Ｓ  押子駆動バネ
１４０Ｔ  旋回押子トリガ
１４２  針案内部
１５０  支持構造
２３６  容器
２３６Ｃ１  容器
２３６Ｃ２  容器
２３６ＣＤ  ブリッジ導管
２３６Ｆ  前方端
２３６Ｎ  皮下注射針
２３６ＮＳ  針遮蔽体
２３６Ｓ１  ストッパ
２３６Ｓ２  ストッパ
２３６Ｐ１  押子棒
２３６Ｐ２  押子棒
【図１】
2020018860.tif 000003
【図２】
2020018860.tif 000004
【図３】
2020018860.tif 000005
【図４】
2020018860.tif 000006
【図５】
2020018860.tif 000007
【図６】
2020018860.tif 000008
【図７】
2020018860.tif 000009
【外国語明細書】
2020018860000001.pdf